(57)【要約】【課題】様々な遅延で周期的に発生する様々なデータ量のパケットに対応して、変調方式の選択や無線リソースのスケジューリングをすること。【解決手段】ＭＣＳテーブルの選択に関する設定情報を前記端末装置へ送信する送信部と、前記ＭＣＳテーブルの選択に関する設定情報によって選択されるＭＣＳテーブルを適用して、ＰＤＳＣＨのＭＣＳインデックスを設定する制御部と、を備え、前記ＭＣＳインデックスは、前記ＭＣＳテーブルのうち、一部の変調方式に制限されたＭＣＳインデックスの範囲から選択され、前記一部のＭＣＳに制限されたＭＣＳインデックスの範囲は、前記制御部によって可変制御される（１／２）のｎ乗のＭＣＳインデックスの範囲であり、前記ＭＣＳテーブルの選択に関する設定情報は、６４ＱＡＭモードＭＣＳテーブルまたは２５６ＱＡＭモードＭＣＳテーブルのいずれを適用するかを示す情報を含む基地局装置。【選択図】図９
2019004319.tif 000002
【特許請求の範囲】
【請求項１】
端末装置と通信する基地局装置であって、
ＭＣＳテーブルの選択に関する設定情報を前記端末装置へ送信する送信部と、
前記ＭＣＳテーブルの選択に関する設定情報によって選択されるＭＣＳテーブルを適用して、ＰＤＳＣＨのＭＣＳインデックスを設定する制御部と、を備え、
前記ＭＣＳインデックスは、前記ＰＤＳＣＨの変調方式を示す情報であり、
前記ＭＣＳインデックスは、前記ＭＣＳテーブルのうち、一部の変調方式に制限されたＭＣＳインデックスの範囲から選択され、
前記制御部は、前記ＭＣＳテーブル内から選択された複数のＭＣＳインデックスを含むＭＣＳ選択可能範囲を複数設定し、
前記一部のＭＣＳに制限されたＭＣＳインデックスの範囲は、前記制御部によって可変制御される前記ＭＣＳ選択可能範囲のうちの１つであり、
前記ＭＣＳテーブルの選択に関する設定情報は、第１のＭＣＳテーブルまたは第２のＭＣＳテーブルのいずれを適用するかを示す情報を含み、
前記第１のＭＣＳテーブルは、少なくとも第１の変調方式と該第１の変調方式と関連付けられたＭＣＳインデックスを含み、
前記第１の変調方式は、ＱＰＳＫ、１６ＱＡＭ、および６４ＱＡＭを含み、
前記第２のＭＣＳテーブルは、少なくとも第２の変調方式と該第２の変調方式と関連付けられたＭＣＳインデックスを含み、
前記第２の変調方式は、ＱＰＳＫ、１６ＱＡＭ、６４ＱＡＭ、および２５６ＱＡＭを含む、基地局装置。
【請求項２】
前記ＭＣＳテーブルの選択に関する設定情報は、ＭＣＳ制限情報を含み、
前記ＭＣＳ制限情報は、前記前記一部のＭＣＳに制限されたＭＣＳインデックスの範囲を示す情報である、請求項１に記載の基地局装置。
【請求項３】
前記送信部は、前記ＰＤＳＣＨのＭＣＳインデックスを含むＰＤＣＣＨを送信し、
前記送信部がＳＰＳ  Ｃ−ＲＮＴＩでスクランブルされたＣＲＣが付加されたＰＤＣＣＨを送信する場合、前記一部のＭＣＳに制限されたＭＣＳインデックスの範囲は、前記ＭＣＳ選択可能範囲のうちの１つに固定され、
前記ＭＣＳテーブルの選択に関する設定情報によって選択されるＭＣＳテーブルを制御することで、ＰＤＳＣＨのＭＣＳインデックスを選択できる範囲を変更する、請求項１または請求項２に記載の基地局装置。
【請求項４】
前記送信部は、前記ＰＤＳＣＨのＭＣＳインデックスを含むＰＤＣＣＨを送信し、
前記制御部は、ＳＰＳ  Ｃ−ＲＮＴＩでスクランブルされたＣＲＣが前記ＰＤＣＣＨに付加されている場合、前記ＭＣＳテーブルの選択に関する設定情報によらず、前記制御部は、第１のＭＣＳテーブルを適用してＰＤＳＣＨのＭＣＳインデックスを設定し、前記ＭＣＳ選択可能範囲は、前記第１のＭＣＳテーブルから選択されたＭＣＳインデックスであり、
Ｃ−ＲＮＴＩでスクランブルされたＣＲＣが前記ＰＤＣＣＨに付加されている場合、前記ＭＣＳテーブルの選択に関する設定情報によって選択されるＭＣＳテーブルを適用し、該ＭＣＳテーブルに含まれる全ＭＣＳインデックスのうちからＰＤＳＣＨのＭＣＳインデックスを設定する、請求項１または請求項２に記載の基地局装置。
【請求項５】
前記一部のＭＣＳに制限されたＭＣＳインデックスの範囲は、（１／２）のｎ乗のＭＣＳインデックスの範囲であり、
前記送信部は、前記ＰＤＳＣＨのＭＣＳインデックスを含むＰＤＣＣＨを送信し、
前記制御部は、ＳＰＳ  Ｃ−ＲＮＴＩでスクランブルされたＣＲＣが前記ＰＤＣＣＨに
付加されている場合、前記ＭＣＳテーブルの選択に関する設定情報によらず、前記制御部は、第１のＭＣＳテーブルを適用してＰＤＳＣＨのＭＣＳインデックスを設定し、
Ｃ−ＲＮＴＩでスクランブルされたＣＲＣが前記ＰＤＣＣＨに付加されている場合、前記ｎを「１」に設定し、前記ＭＣＳテーブルの選択に関する設定情報によって選択されるＭＣＳテーブルを適用してＰＤＳＣＨのＭＣＳインデックスを設定する、請求項１または請求項２に記載の基地局装置。
【請求項６】
前記送信部は、前記ＰＤＳＣＨのＭＣＳインデックスを含むＰＤＣＣＨを送信し、
前記ＰＤＣＣＨにＳＰＳ  Ｃ−ＲＮＴＩでスクランブルされたＣＲＣが付加されている場合、前記ｎが０のとき、ＳＰＳによる前記ＰＤＳＣＨの送信のリリースが有効であることを示す、請求項５に記載の基地局装置。
【請求項７】
前記送信部は、前記ＰＤＳＣＨのＭＣＳインデックスを含むＰＤＣＣＨを送信し、
前記送信部がＳＰＳ  Ｃ−ＲＮＴＩでスクランブルされたＣＲＣが付加されたＰＤＣＣＨを送信する場合、前記一部のＭＣＳに制限されたＭＣＳインデックスの範囲は、（１／２）のｎ乗のうちの１つに固定され、
前記ＭＣＳテーブルの選択に関する設定情報によって選択されるＭＣＳテーブルを制御することで、ＰＤＳＣＨのＭＣＳインデックスを選択できる範囲を変更する、請求項１または請求項２に記載の基地局装置。
【請求項８】
前記送信部がＳＰＳ  Ｃ−ＲＮＴＩでスクランブルされたＣＲＣが付加されたＰＤＣＣＨを送信する場合、前記ＰＤＣＣＨに含まれるＭＣＳインデックスを示すビットのうち、最上位ビットからｎビットに「０」がセットされているとき、ＳＰＳによるＰＤＳＣＨ送信の活性化が有効であることを示す、請求項７に記載の基地局装置。
【請求項９】
前記送信部がＳＰＳ  Ｃ−ＲＮＴＩでスクランブルされたＣＲＣが付加されたＰＤＣＣＨを送信する場合、前記ＰＤＣＣＨに含まれるＭＣＳインデックスを示すビットに全て「１」がセットされているとき、ＳＰＳによるＰＤＳＣＨ送信のリリースが有効であることを示す、請求項８に記載の基地局装置。
【請求項１０】
端末装置と通信する基地局装置の通信方法であって、
ＭＣＳテーブルの選択に関する設定情報を前記端末装置へ送信する送信ステップと、
ＭＣＳテーブルの選択に関する設定情報によって選択されるＭＣＳテーブルを適用して、ＰＤＳＣＨのＭＣＳインデックスを設定する制御ステップと、を有し、
前記ＭＣＳインデックスは、前記ＰＤＳＣＨの変調方式を示す情報であり、
前記ＭＣＳインデックスは、前記ＭＣＳテーブルのうち、一部の変調方式に制限されたＭＣＳインデックスの範囲から選択され、
前記一部のＭＣＳに制限されたＭＣＳインデックスの範囲は、前記制御ステップにおいて可変制御される（１／２）のｎ乗のＭＣＳインデックスの範囲であり、
前記ＭＣＳテーブルの選択に関する設定情報は、第１のＭＣＳテーブルまたは第２のＭＣＳテーブルのいずれを適用するかを示す情報を含み、
前記第１のＭＣＳテーブルは、少なくとも第１の変調方式と該第１の変調方式と関連付けられたＭＣＳインデックスを含み、
前記第１の変調方式は、ＱＰＳＫ、１６ＱＡＭ、および６４ＱＡＭを含み、
前記第２のＭＣＳテーブルは、少なくとも第２の変調方式と該第２の変調方式と関連付けられたＭＣＳインデックスを含み、
前記第２の変調方式は、ＱＰＳＫ、１６ＱＡＭ、６４ＱＡＭ、および２５６ＱＡＭを含む、通信方法。
【請求項１１】
前記基地局装置は、前記ＰＤＳＣＨのＭＣＳインデックスを含むＰＤＣＣＨを送信し、
前記ＰＤＣＣＨにＳＰＳ  Ｃ−ＲＮＴＩでスクランブルされたＣＲＣが付加されている場合、前記一部のＭＣＳに制限されたＭＣＳインデックスの範囲は、（１／２）のｎ乗のうちの１つに固定され、
前記ＭＣＳテーブルの選択に関する設定情報によって選択されるＭＣＳテーブルを制御することで、ＰＤＳＣＨのＭＣＳインデックスを選択できる範囲を変更する、請求項１０に記載の通信方法。
【発明の詳細な説明】
【技術分野】
【０００１】
本発明は、基地局装置、端末装置およびその通信方法に関する。
【背景技術】
【０００２】
３ＧＰＰ（Third Generation Partnership Project）で仕様化されているＬＴＥ（Long
Term Evolution）の通信システムでは、セミパーシステントスケジューリング(Semi-Persistent Scheduling: SPS)を用いた無線リソース割当てが導入されている（非特許文献１）。ＳＰＳは、データが周期的に発生する音声パケット（Voice over Internet Protocol: VoIP）の送信に用いられる。音声パケット等は、データ量は比較的少ないが短い遅延での伝送が要求される。
【０００３】
３ＧＰＰでは、第５世代移動通信システム（５Ｇ）として、高い周波数利用効率で大容量通信を行うｅＭＢＢ（enhanced Mobile Broadband）と、多数端末を収容するｍＭＴＣ
（massive Machine Type Communication）と、高信頼な低遅延通信を実現するｕＲＬＬＣ（Ultra-Reliable and Low Latency Communication）という３つのユースケースの要求条件を満たす無線マルチプルアクセスの仕様化が進められている（非特許文献２）。これらのユースケースには、音声通話に加え、動画を用いた遠隔操作などのリモートコントロールが想定されている。このため、様々なデータ量のパケットが、長短の遅延で周期的に発生する可能性がある。
【先行技術文献】
【非特許文献】
【０００４】
【非特許文献１】“3rd Generation Partnership Project; Technical Specification Group Radio Access Network; Evolved Universal Terrestrial Radio Access (E-UTRA); Physical layer procedures(Release 12)”  3GPP TS 36.213 v12.5.0 (2015-03)
【非特許文献２】“3rd Generation Partnership Project; Technical Specification Group Radio Access Network; Study on Scenarios and Requirements for Next Generation Access Technologies;(Release 14)”  3GPP TR 38.913 v0.3.0 (2016-03)
【発明の概要】
【発明が解決しようとする課題】
【０００５】
本発明はこのような事情を鑑みてなされたものであり、その目的は、様々な遅延で周期的に発生する様々なデータ量のパケットに対応して、変調方式の選択や無線リソースのスケジューリングをすることが可能な基地局装置、端末装置及び通信方法を提供することにある。
【課題を解決するための手段】
【０００６】
上述した課題を解決するために本発明に係る基地局装置、端末装置および通信方法の構成は、次の通りである。
【０００７】
（１）本発明の一態様は、端末装置と通信を行う基地局装置であって、ＭＣＳテーブルの選択に関する設定情報を前記端末装置へ送信する送信部と、前記ＭＣＳテーブルの選択に関する設定情報によって選択されるＭＣＳテーブルを適用して、ＰＤＳＣＨのＭＣＳインデックスを設定する制御部と、を備え、前記ＭＣＳインデックスは、前記ＰＤＳＣＨの変調方式を示す情報であり、前記ＭＣＳインデックスは、前記ＭＣＳテーブルのうち、一部の変調方式に制限されたＭＣＳインデックスの範囲から選択され、前記制御部は、前記ＭＣＳテーブル内から選択された複数のＭＣＳインデックスを含むＭＣＳ選択可能範囲を
複数設定し、前記一部のＭＣＳに制限されたＭＣＳインデックスの範囲は、前記制御部によって可変制御される前記ＭＣＳ選択可能範囲のうちの１つであり、前記ＭＣＳテーブルの選択に関する設定情報は、第１のＭＣＳテーブルまたは第２のＭＣＳテーブルのいずれを適用するかを示す情報を含み、前記第１のＭＣＳテーブルは、少なくとも第１の変調方式と該第１の変調方式と関連付けられたＭＣＳインデックスを含み、前記第１の変調方式は、ＱＰＳＫ、１６ＱＡＭおよび６４ＱＡＭを含み、前記第２のＭＣＳテーブルは、少なくとも第２の変調方式と該第２の変調方式と関連付けられたＭＣＳインデックスを含み、前記第２の変調方式は、ＱＰＳＫ、１６ＱＡＭ、６４ＱＡＭ、および２５６ＱＡＭを含むこと、を特徴とする。
【０００８】
（２）また、本発明の一態様は、前記ＭＣＳテーブルの選択に関する設定情報は、ＭＣＳ制限情報を含み、前記ＭＣＳ制限情報は、前記前記一部のＭＣＳに制限されたＭＣＳインデックスの範囲を示す情報であること、を特徴とする。
【０００９】
（３）また、本発明の一態様は、前記送信部は、前記ＰＤＳＣＨのＭＣＳインデックスを含むＰＤＣＣＨを送信し、前記送信部がＳＰＳ  Ｃ−ＲＮＴＩでスクランブルされたＣＲＣが付加されたＰＤＣＣＨを送信する場合、前記一部のＭＣＳに制限されたＭＣＳインデックスの範囲は、前記ＭＣＳ選択可能範囲のうちの１つに固定され、前記ＭＣＳテーブルの選択に関する設定情報によって選択されるＭＣＳテーブルを制御することで、ＰＤＳＣＨのＭＣＳインデックスを選択できる範囲を変更すること、を特徴とする。
【００１０】
（４）また、本発明の一態様は、記送信部は、前記ＰＤＳＣＨのＭＣＳインデックスを含むＰＤＣＣＨを送信し、前記制御部は、ＳＰＳ  Ｃ−ＲＮＴＩでスクランブルされたＣＲＣが前記ＰＤＣＣＨに付加されている場合、前記ＭＣＳテーブルの選択に関する設定情報によらず、前記制御部は、第１のＭＣＳテーブルを適用してＰＤＳＣＨのＭＣＳインデックスを設定し、前記ＭＣＳ選択可能範囲は、前記第１のＭＣＳテーブルから選択されたＭＣＳインデックスであり、Ｃ−ＲＮＴＩでスクランブルされたＣＲＣが前記ＰＤＣＣＨに付加されている場合、前記ＭＣＳテーブルの選択に関する設定情報によって選択されるＭＣＳテーブルを適用し、該ＭＣＳテーブルに含まれる全ＭＣＳインデックスのうちからＰＤＳＣＨのＭＣＳインデックスを設定する、ことを特徴とする。
【００１１】
（５）また、本発明の一態様は、前記一部のＭＣＳに制限されたＭＣＳインデックスの範囲は、（１／２）のｎ乗のＭＣＳインデックスの範囲であり、前記送信部は、前記ＰＤＳＣＨのＭＣＳインデックスを含むＰＤＣＣＨを送信し、前記制御部は、ＳＰＳ  Ｃ−ＲＮＴＩでスクランブルされたＣＲＣが前記ＰＤＣＣＨに付加されている場合、前記ＭＣＳテーブルの選択に関する設定情報によらず、前記制御部は、第１のＭＣＳテーブルを適用してＰＤＳＣＨのＭＣＳインデックスを設定し、Ｃ−ＲＮＴＩでスクランブルされたＣＲＣが前記ＰＤＣＣＨに付加されている場合、前記ｎを「１」に設定し、前記ＭＣＳテーブルの選択に関する設定情報によって選択されるＭＣＳテーブルを適用してＰＤＳＣＨのＭＣＳインデックスを設定すること、を特徴とする。
【００１２】
（６）また、本発明の一態様は、前記送信部は、前記ＰＤＳＣＨのＭＣＳインデックスを含むＰＤＣＣＨを送信し、前記ＰＤＣＣＨにＳＰＳ  Ｃ−ＲＮＴＩでスクランブルされたＣＲＣが付加されている場合、前記ｎが０のとき、ＳＰＳによる前記ＰＤＳＣＨ送信のリリースが有効であることを示すこと、を特徴とする。
【００１３】
（７）また、本発明の一態様は、前記送信部は、前記ＰＤＳＣＨのＭＣＳインデックスを含むＰＤＣＣＨを送信し、前記送信部がＳＰＳ  Ｃ−ＲＮＴＩでスクランブルされたＣＲＣが付加されたＰＤＣＣＨを送信する場合、前記一部のＭＣＳに制限されたＭＣＳインデックスの範囲は、（１／２）のｎ乗のうちの１つに固定され、前記ＭＣＳテーブルの選
択に関する設定情報によって選択されるＭＣＳテーブルを制御することで、ＰＤＳＣＨのＭＣＳインデックスを選択できる範囲を変更すること、を特徴とする。
【００１４】
（８）また、本発明の一態様は、前記送信部がＳＰＳ  Ｃ−ＲＮＴＩでスクランブルされたＣＲＣが付加されたＰＤＣＣＨを送信する場合、前記ＰＤＣＣＨに含まれるＭＣＳインデックスを示すビットのうち、最上位ビットからｎビットに「０」がセットされているとき、ＳＰＳによるＰＤＳＣＨ送信の活性化が有効であることを示すこと、を特徴する。
【００１５】
（９）また、本発明の一態様は、前記送信部がＳＰＳ  Ｃ−ＲＮＴＩでスクランブルされたＣＲＣが付加されたＰＤＣＣＨを送信する場合、前記ＰＤＣＣＨに含まれるＭＣＳインデックスを示すビットに全て「１」がセットされているとき、ＳＰＳによるＰＤＳＣＨ送信のリリースが有効であることを示すこと、を特徴とする。
【００１６】
（１０）本発明の一態様は、端末装置と通信を行う基地局装置の通信方法であって、ＭＣＳテーブルの選択に関する設定情報を前記端末装置へ送信する送信ステップと、ＭＣＳテーブルの選択に関する設定情報によって選択されるＭＣＳテーブルを適用して、ＰＤＳＣＨのＭＣＳインデックスを設定する制御ステップと、を有し、前記ＭＣＳインデックスは、前記ＰＤＳＣＨの変調方式を示す情報であり、前記ＭＣＳインデックスは、前記ＭＣＳテーブルのうち、一部の変調方式に制限されたＭＣＳインデックスの範囲から選択され、前記一部のＭＣＳに制限されたＭＣＳインデックスの範囲は、前記制御ステップにおいて可変制御される（１／２）のｎ乗のＭＣＳインデックスの範囲であり、前記ＭＣＳテーブルの選択に関する設定情報は、第１のＭＣＳテーブルまたは第２のＭＣＳテーブルのいずれを適用するかを示す情報を含み、前記第１のＭＣＳテーブルは、少なくとも第１の変調方式と該第１の変調方式と関連付けられたＭＣＳインデックスを含み、前記第１の変調方式は、ＱＰＳＫ、１６ＱＡＭ、および６４ＱＡＭを含み、前記第２のＭＣＳテーブルは、少なくとも第２の変調方式と該第２の変調方式と関連付けられたＭＣＳインデックスを含み、前記第２の変調方式は、ＱＰＳＫ、１６ＱＡＭ、６４ＱＡＭ、および２５６ＱＡＭを含む、ことを特徴とする。
【００１７】
（１１）また、本発明の一態様は、前記基地局装置は、前記ＰＤＳＣＨのＭＣＳインデックスを含むＰＤＣＣＨを送信し、前記ＰＤＣＣＨにＳＰＳ  Ｃ−ＲＮＴＩでスクランブルされたＣＲＣが付加されている場合、前記一部のＭＣＳに制限されたＭＣＳインデックスの範囲は、（１／２）のｎ乗のうちの１つに固定され、前記ＭＣＳテーブルの選択に関する設定情報によって選択されるＭＣＳテーブルを制御することで、ＰＤＳＣＨのＭＣＳインデックスを選択できる範囲を変更すること、を特徴とする。
【発明の効果】
【００１８】
本発明の一又は複数の態様によれば、基地局装置及び端末装置は、様々な遅延で周期的に発生する様々なデータ量のパケットに対応して、変調方式の選択や無線リソースのスケジューリングをすることができる。
【図面の簡単な説明】
【００１９】
【図１】第１の実施形態に係る通信システム１の構成例を示す図である。
【図２】第２の実施形態に係るＣＱＩテーブルの一例を示す図である。
【図３】第１の実施形態に係るＣＱＩテーブルの別例を示す図である。
【図４】第１の実施形態に係るＭＣＳテーブルの一例を示す図である。
【図５】第１の実施形態に係るＭＣＳテーブルの別例を示す図である。
【図６】第１の実施形態に係る通信システム１の無線フレーム構成の一例を示す図である。
【図７】第１の実施形態に係るスケジューリング方法の一例を示す図である。
【図８】第１の実施形態に係る基地局装置１０の構成の概略ブロック図である。
【図９】第１の実施形態に係るＳＰＳにおけるＭＣＳインデックス設定例のフローを示す図である。
【図１０】第１の実施形態に係る端末装置２０の構成を示す概略ブロック図である。
【図１１】第２の実施形態に係るＳＰＳにおけるＭＣＳインデックス設定例のフローを示す図である。
【図１２】第２の実施形態に係るＳＰＳの活性化の有効性を示すＤＣＩのパラメータ（フィールド）を示す一例である。
【図１３】第２の実施形態に係るＳＰＳの非活性化の有効性を示すＤＣＩのパラメータ（フィールド）を示す一例である。
【発明を実施するための形態】
【００２０】
本実施形態に係る通信システムは、基地局装置（セル、スモールセル、サービングセル、コンポーネントキャリア、ｅＮｏｄｅＢ、Ｈｏｍｅ  ｅＮｏｄｅＢ、ｇＮｏｄｅＢ）および端末装置（端末、移動端末、ＵＥ:User Equipment）を備える。該通信システムにお
いて、下りリンクの場合、基地局装置は送信装置（送信点、送信アンテナ群、送信アンテナポート群、ＴＲＰ(Tx/Rx Point)）となり、端末装置は受信装置（受信点、受信端末、
受信アンテナ群、受信アンテナポート群）となる。上りリンクの場合、基地局装置は受信装置となり、端末装置は送信装置となる。前記通信システムは、Ｄ２Ｄ（Device-to-Device）通信にも適用可能である。その場合、送信装置も受信装置も共に端末装置になる。
【００２１】
前記通信システムは、人間が介入する端末装置と基地局装置間のデータ通信に限定されるものではなく、ＭＴＣ（Machine Type Communication）、Ｍ２Ｍ通信（Machine-to-Machine Communication）、ＩｏＴ（Internet of Things）用通信、ＮＢ−ＩｏＴ（Narrow Band-IoT）等（以下、ＭＴＣと呼ぶ）の人間の介入を必要としないデータ通信の形態にも
、適用することができる。この場合、端末装置がＭＴＣ端末となる。前記通信システムは、上りリンク及び下りリンクにおいて、ＣＰ−ＯＦＤＭ（Cyclic Prefix - Orthogonal Frequency Division Multiplexing）等のマルチキャリア伝送方式を用いることができる。前記通信システムは、上りリンクにおいて、ＤＦＴＳ−ＯＦＤＭ（Discrete Fourier Transform Spread - Orthogonal Frequency Division Multiplexing、SC-FDMAとも称される
）等の伝送方式を用いてもよい。なお、以下では、上りリンク及び下りリンクにおいて、ＯＦＤＭ伝送方式を用いた場合で説明するが、これに限らず、他の伝送方式を適用することができる。
【００２２】
本実施形態における基地局装置及び端末装置は、無線事業者がサービスを提供する国や地域から使用許可（免許）が得られた、いわゆるライセンスバンド（licensed band）と
呼ばれる周波数バンド、及び／又は、国や地域からの使用許可（免許）を必要としない、いわゆるアンライセンスバンド（unlicensed band）と呼ばれる周波数バンドで通信する
ことができる。
【００２３】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２４】
（第１の実施形態）
【００２５】
図１は、本実施形態に係る通信システムの構成例を示す図である。本実施形態における通信システム１は、基地局装置１０、端末装置２０を備える。カバレッジ１０ａは、基地局装置１０が端末装置２０と接続可能な範囲（通信エリア）である（セルとも呼ぶ）。なお、基地局装置１０は、カバレッジ１０ａにおいて、複数の端末装置２０を収容すること
ができる。前記通信システム１は、基地局装置１０及び端末装置２０が、ＢＰＳＫ（Binary Phase Shift Keying）、ＱＰＳＫ（quadrature Phase Shift Keying）、１６ＱＡＭ（quadrature amplitude modulation）、６４ＱＡＭ、または２５６ＱＡＭなどの複数の変
調方式を用いて、データ変調及び復調することができるシステムである。
【００２６】
図１において、上りリンク無線通信ｒ３０は、少なくとも以下の上りリンク物理チャネルを含む。上りリンク物理チャネルは、上位層から出力された情報を送信するために使用される。
・物理上りリンク制御チャネル（ＰＵＣＣＨ）
・物理上りリンク共有チャネル（ＰＵＳＣＨ）
・物理ランダムアクセスチャネル（ＰＲＡＣＨ）
【００２７】
ＰＵＣＣＨは、上りリンク制御情報（Uplink Control Information: UCI）を送信する
ために用いられる物理チャネルである。上りリンク制御情報は、下りリンクデータ（Downlink transport block, Medium Access Control Protocol Data Unit: MAC PDU, Downlink-Shared Channel: DL-SCH, Physical Downlink Shared Channel: PDSCH）に対する肯定
応答（positive acknowledgement: ACK）／否定応答（Negative acknowledgement: NACK
）を含む。ＡＣＫ／ＮＡＣＫは、ＨＡＲＱ−ＡＣＫ（Hybrid Automatic Repeat request ACKnowledgement）、ＨＡＲＱフィードバック、ＨＡＲＱ応答、または、ＨＡＲＱ制御情
報、送達確認を示す信号とも称される。
【００２８】
上りリンク制御情報は、初期送信のためのＰＵＳＣＨ（Uplink-Shared Channel: UL-SCH）リソースを要求するために用いられるスケジューリングリクエスト（Scheduling Request: SR）を含む。スケジューリングリクエストは、正のスケジューリングリクエスト（positive scheduling request）、または、負のスケジューリングリクエスト（negative scheduling request）を含む。正のスケジューリングリクエストは、初期送信のためのＵ
Ｌ−ＳＣＨリソースを要求することを示す。負のスケジューリングリクエストは、初期送信のためのＵＬ−ＳＣＨリソースを要求しないことを示す。
【００２９】
上りリンク制御情報は、下りリンクのチャネル状態情報（Channel State Information:
CSI）を含む。前記下りリンクのチャネル状態情報は、好適な空間多重数（レイヤ数）を示すランク指標（Rank Indicator: RI）、好適なプレコーダを示すプレコーディング行列指標（Precoding Matrix Indicator: PMI）、好適な伝送レートを指定するチャネル品質
指標（Channel Quality Indicator: CQI）などを含む。前記ＰＭＩは、端末装置によって決定されるコードブックを示す。該コードブックは、物理下りリンク共有チャネルのプレコーディングに関連する。前記ＣＱＩは、所定の帯域における好適な変調方式（例えば、ＱＰＳＫ、１６ＱＡＭ、６４ＱＡＭ、２５６ＱＡＭＡＭなど）、符号化率（coding rate
）、および周波数利用効率を指し示すインデックス（ＣＱＩインデックス）を用いることができる。端末装置は、ＰＤＳＣＨのトランスポートブロックが所定のブロック誤り確率（例えば、誤り率０．１）を超えずに受信可能であろうＣＱＩインデックスをＣＱＩテーブルから選択する。
【００３０】
図２は、本実施形態に係るＣＱＩテーブルの一例を示す図である。ＣＱＩインデックスは、変調方式、符号化率および周波数利用効率と関連付けられる。図２のＣＱＩテーブル（６４ＱＡＭモードＣＱＩテーブル）において、ＣＱＩインデックスは、変調方式として、ＱＰＳＫ、１６ＱＡＭ、または６４ＱＡＭを指し示す。図３は、本実施形態に係るＣＱＩテーブルの別例を示す図である。図３のＣＱＩテーブル（２５６ＱＡＭモードＣＱＩテーブル）において、ＣＱＩインデックスは、変調方式として、ＱＰＳＫ、１６ＱＡＭ、６４ＱＡＭ、または２５６ＱＡＭを指し示す。図２および図３のＣＱＩテーブルは、通信システム１（基地局装置１０および端末装置２０）において共有される。基地局装置１０お
よび端末装置２０は、基地局装置１０によって設定（選択）されたＣＱＩテーブルに基づいて、ＣＱＩインデックスを解釈する。なお、図２および図３は、ＣＱＩテーブルの一例であり、ＢＰＳＫや１０２４ＱＡＭを含むテーブルを用いてもよい。また、図２および図３の符号化率および周波数利用効率は一例であり、本実施形態に係る通信システム１は、これに拘泥されるものではない。
【００３１】
ＰＵＳＣＨは、上りリンクデータ（Uplink Transport Block、Uplink-Shared Channel:
UL-SCH）を送信するために用いられる物理チャネルである。ＰＵＳＣＨは、前記上りリ
ンクデータと共に、下りリンクデータに対するＨＡＲＱ−ＡＣＫおよび／またはチャネル状態情報を送信するために用いられてもよい。ＰＵＳＣＨは、チャネル状態情報のみを送信するために用いられてもよい。ＰＵＳＣＨはＨＡＲＱ−ＡＣＫおよびチャネル状態情報のみを送信するために用いられてもよい。
【００３２】
ＰＵＳＣＨは、無線リソース制御（Radio Resource Control: RRC）シグナリングを送
信するために用いられる。ＲＲＣシグナリングは、ＲＲＣメッセージ／ＲＲＣ層の情報／ＲＲＣ層の信号／ＲＲＣ層のパラメータ／ＲＲＣ情報要素とも称される。ＲＲＣシグナリングは、無線リソース制御層において処理される情報／信号である。基地局装置から送信されるＲＲＣシグナリングは、セル内における複数の端末装置に対して共通のシグナリングであってもよい。基地局装置から送信されるＲＲＣシグナリングは、ある端末装置に対して専用のシグナリング（dedicated signalingとも称する）であってもよい。すなわち
、ユーザ装置スペシフィック（ユーザ装置固有）な情報は、ある端末装置に対して専用のシグナリングを用いて送信される。ＲＲＣメッセージは、端末装置のＵＥ  Ｃａｐａｂｉｌｉｔｙを含めることができる。ＵＥ  Ｃａｐａｂｉｌｉｔｙは、該端末装置がサポートする機能を示す情報である。
【００３３】
ＰＵＳＣＨは、ＭＡＣ  ＣＥ（Medium Access Control Element）を送信するために用
いられる。ＭＡＣ  ＣＥは、媒体アクセス制御層（Medium Access Control layer）にお
いて処理（送信）される情報／信号である。例えば、パワーヘッドルームは、ＭＡＣ  ＣＥに含まれ、物理上りリンク共有チャネルを経由して報告されてもよい。すなわち、ＭＡＣ  ＣＥのフィールドが、パワーヘッドルームのレベルを示すために用いられる。上りリンクデータは、ＲＲＣメッセージ、ＭＡＣ  ＣＥを含むことができる。ＲＲＣシグナリング、および／または、ＭＡＣ  ＣＥを、上位層の信号（higher layer signaling）とも称する。ＲＲＣシグナリング、および／または、ＭＡＣ  ＣＥは、トランスポートブロックに含まれる。
【００３４】
ＰＲＡＣＨは、ランダムアクセスに用いるプリアンブルを送信するために用いられる。ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージ
ャ、上りリンク送信に対する同期（タイミング調整）、およびＰＵＳＣＨ（ＵＬ−ＳＣＨ）リソースの要求を示すために用いられる。
【００３５】
上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。上りリンク参照信号には、復調用参照信号（Demodulation Reference Signal: DMRS）、サウンディング参
照信号（Sounding Reference Signal: SRS）が含まれる。ＤＭＲＳは、物理上りリンク共有チャネル／物理上りリンク制御チャネルの送信に関連する。例えば、基地局装置１０は、物理上りリンク共有チャネル／物理上りリンク制御チャネルを復調するとき、伝搬路推定／伝搬路補正を行うために復調用参照信号を使用する。
【００３６】
ＳＲＳは、物理上りリンク共有チャネル／物理上りリンク制御チャネルの送信に関連しない。基地局装置１０は、上りリンクのチャネル状態を測定（CSI Measurement）するた
めにＳＲＳを使用する。
【００３７】
図１において、下りリンクｒ３１の無線通信では、少なくとも以下の下りリンク物理チャネルが用いられる。下りリンク物理チャネルは、上位層から出力された情報を送信するために使用される。
・物理報知チャネル（ＰＢＣＨ）
・物理下りリンク制御チャネル（ＰＤＣＣＨ）
・物理下りリンク共有チャネル（ＰＤＳＣＨ）
【００３８】
ＰＢＣＨは、端末装置で共通に用いられるマスターインフォメーションブロック（Master Information Block: MIB, Broadcast Channel: BCH）を報知するために用いられる。
ＭＩＢはシステム情報の１つである。例えば、ＭＩＢは、下りリンク送信帯域幅設定、システムフレーム番号（ＳＦＮ：System Frame number）を含む。ＭＩＢは、ＰＢＣＨが送
信されるスロットの番号、サブフレームの番号、および、無線フレームの番号の少なくとも一部を指示する情報を含んでもよい。
【００３９】
ＰＤＣＣＨは、下りリンク制御情報（Downlink Control Information: DCI）を送信す
るために用いられる。下りリンク制御情報は、用途に基づいた複数のフォーマット（ＤＣＩフォーマットとも称する）が定義される。１つのＤＣＩフォーマットを構成するＤＣＩの種類やビット数に基づいて、ＤＣＩフォーマットは定義されてもよい。各フォーマットは、用途に応じて使われる。下りリンク制御情報は、下りリンクデータ送信のための制御情報と上りリンクデータ送信のための制御情報を含む。下りリンクデータ送信のためのＤＣＩフォーマットは、下りリンクアサインメント（または、下りリンクグラント）とも称する。上りリンクデータ送信のためのＤＣＩフォーマットは、上りリンクグラント（または、上りリンクアサインメント）とも称する。
【００４０】
１つの下りリンクアサインメントは、１つのサービングセル内の１つのＰＤＳＣＨのスケジューリングに用いられる。下りリンクグラントは、該下りリンクグラントが送信されたスロットと同じスロット内のＰＤＳＣＨのスケジューリングのために少なくとも用いられてもよい。下りリンクアサインメントには、ＰＤＳＣＨのためのリソースブロック割り当て、ＰＤＳＣＨに対するＭＣＳ（Modulation and Coding Scheme）、初期送信または再送信を指示するＮＤＩ（NEW Data Indicator）、下りリンクにおけるＨＡＲＱプロセス番号を示す情報、ターボコーディング時にコードワードに加えられた冗長性の量を示すＲｅｄｕｄａｎｃｙ  ｖｅｒｓｉｏｎなどの下りリンク制御情報が含まれる。コードワードは、誤り訂正符号化後のデータである。下りリンクアサインメントはＰＵＣＣＨに対する送信電力制御（ＴＰＣ：Transmission Power Control）コマンド、ＰＵＳＣＨに対するＴＰＣコマンド、ＳＲＳ（Sounding Reference Signal）に対するＴＰＣコマンドを含めても
よい。なおここでＳＲＳとは、上りリンクのチャネル状態を基地局装置が把握するために端末装置が送信する参照信号である。上りリンクグラントは、ＰＵＳＣＨを繰り返し送信する回数を示すＲｅｐｅｔｉｔｏｎ  ｎｕｍｂｅｒを含めてもよい。なお、各下りリンクデータ送信のためのＤＣＩフォーマットには、上記情報のうち、その用途のために必要な情報（フィールド）が含まれる。
【００４１】
ＰＤＳＣＨに対するＭＣＳは、該ＰＤＳＣＨの変調オーダーおよびＴＢＳ（Transport Block Size: TBS）インデックスを指し示すインデックス（ＭＣＳインデックス）を用い
ることができる。変調オーダーは、変調方式と対応づけられる。変調オーダー「２」、「４」、「６」、「８」は各々、「ＱＰＳＫ」、「１６ＱＡＭ」、「６４ＱＡＭ」、「２５
６ＱＡＭ」、「１０２４ＱＡＭ」を示す。ＴＢＳインデックスは、前記ＰＤＣＣＨでスケジュールされたＰＤＳＣＨのトランスポートブロックサイズを特定するために使用されるインデックスである。通信システム１（基地局装置１０及び端末装置２０）は、前記ＴＢＳインデックスと前記ＰＤＳＣＨ送信のために割当てられたリソースブロック数によってトランスポートブロックサイズを特定できるテーブル（トランスポートブロックサイズテーブル）を共有する。
【００４２】
図４は、本実施形態に係るＭＣＳテーブルの一例を示す図である。ＭＣＳインデックスは、変調オーダー、ＴＢＳインデックスと関連付けられる。図５のＭＣＳテーブル（６４ＱＡＭモードＭＣＳテーブル）において、ＭＣＳインデックスは、変調オーダー「２」、「４」、または「６」を指し示す。図５は、本実施形態に係るＭＣＳテーブルの別例を示す図である。図５のＭＣＳテーブル（２５６ＱＡＭモードＭＣＳテーブル）において、ＭＣＳインデックスは、変調オーダー「２」、「４」、「６」、または「８」を指し示す。ＴＢＳインデックスが「reserved」であるＭＣＳインデックスは、再送時に用いることができる。図４および図５のＭＣＳテーブルは、３２個のＭＣＳインデックスを含む。すなわち、ＭＣＳインデックスは、５ビット（「00000」〜「11111」）で表現される。図４および図５のＭＣＳテーブルは、ＭＣＳインデックス０〜３１の領域Ａ、ＭＣＳインデックス０〜１５の領域ＢおよびＭＣＳインデックス０〜７の領域Ｃを有する。本実施形態の通信システム１は、ＭＣＳ制限情報（後述）によって、ＭＣＳインデックスを選択できる範囲を、領域Ａ〜Ｃに制限することができる。なお、領域の区分け（ＭＣＳ制限情報によって選択される有効なＭＣＳインデックスの範囲）は図４及び図５の領域Ａ〜Ｃに制限されるものではなく、１つのＭＣＳテーブル内のＭＣＳインデックスから構成される複数の領域であればよい。
【００４３】
図４および図５のＭＣＳテーブルは、通信システム１（基地局装置１０及び端末装置２０）において共有される。図４よび図５のＭＣＳテーブルは、選択されたＣＱＩテーブルに基づいて、選択される。６４ＱＡＭモードＭＣＳテーブル（図４）は、リファレンステーブルとすることができる。基地局装置１０が２５６ＱＡＭモードＣＱＩテーブル（図３）を選択しないとき（６４ＱＡＭモードＣＱＩテーブル（図２）を選択したとき）、ＭＣＳインデックスの解釈は、図４のＭＣＳテーブル（すなわち、リファレンステーブル）に基づく（６４ＱＡＭモードＭＣＳテーブルを適用してＭＣＳインデックスが解釈される）。基地局装置１０が２５６ＱＡＭモードＣＱＩテーブルを選択した場合、ＭＣＳインデックスの解釈は、図５のＭＣＳテーブルに基づく（２５６ＱＡＭモードＭＣＳテーブルを適用してＭＣＳインデックスが解釈される）。なお、図２および図３は、ＭＣＳテーブルの一例であり、ＢＰＳＫや１０２４ＱＡＭを含むテーブルを用いてもよい。
【００４４】
図４および図５のＭＣＳテーブルは、ＰＵＳＣＨの変調方式を設定する場合にも用いることができる。基地局装置１０は、ＰＵＳＣＨに対して、図４及び図５のＭＣＳテーブルのいずれを用いるかを示す「ＭＣＳテーブル選択」設定情報を、ＲＲＣメッセージによって基地局装置に通知することができる。
【００４５】
６４ＱＡＭモードとは、ＰＤＳＣＨに適用されるＭＣＳテーブルを構成する変調方式として２５６ＱＡＭ以上の変調オーダーが含まれない設定（構成）、またはＰＤＳＣＨに適用されるＭＣＳテーブルを構成する変調方式がＱＰＳＫ、１６ＱＡＭ、６４ＱＡＭから構成される設定（構成）、あるいはＣＱＩレポートに用いられるＣＱＩテーブルを構成する変調方式として２５６ＱＡＭ以上の変調オーダーが含まれない設定（構成）、またはＣＱＩレポートに用いられるＣＱＩテーブルを構成する変調方式がＱＰＳＫ、１６ＱＡＭ、６４ＱＡＭから構成される設定（構成）等を指す。２５６ＱＡＭモードとは、ＰＤＳＣＨを２５６ＱＡＭでのデータ変調することが想定されたＭＣＳテーブル／ＣＱＩテーブル等を用いる設定を示す。２５６ＱＡＭモードとは、ＰＤＳＣＨに適用されるＭＣＳテーブルを
構成する変調方式として２５６ＱＡＭが少なくとも含まれる設定（構成）、またはＰＤＳＣＨに適用されるＭＣＳテーブルを構成する変調方式がＱＰＳＫ、１６ＱＡＭ、６４ＱＡＭ、２５６ＱＡＭから構成される設定（構成）、あるいはＣＱＩレポートに用いられるＣＱＩテーブルを構成する変調方式として２５６ＱＡＭが含まれる設定（構成）、またはＣＱＩレポートに用いられるＣＱＩテーブルを構成する変調方式がＱＰＳＫ、１６ＱＡＭ、６４ＱＡＭ、２５６ＱＡＭから構成される設定（構成）等を指す。ＭＣＳテーブル／ＣＱＩテーブルにおいて、６４ＱＡＭモード／２５６ＱＡＭモードの変更は、上位レイヤから与えられる所定のパラメータ（ＲＲＣメッセージ）によって行なわれる
【００４６】
１つの上りリンクグラントは、１つのサービングセル内の１つのＰＵＳＣＨのスケジューリングを端末装置に通知するために用いられる。上りリンクグラントは、ＰＵＳＣＨを送信するためのリソースブロック割り当てに関する情報（リソースブロック割り当ておよびホッピングリソース割り当て）、ＰＵＳＣＨのＭＣＳに関する情報（ＭＣＳ／Ｒｅｄｕｎｄａｎｃｙ  ｖｅｒｓｉｏｎ）、ＤＭＲＳに施されるサイクリックシフト量、ＰＵＳＣＨの再送に関する情報、ＰＵＳＣＨに対するＴＰＣコマンド、下りリンクのチャネル状態情報（Channel State Information: CSI）要求（CSI request）、など上りリンク制御情
報を含む。上りリンクグラントは、上りリンクにおけるＨＡＲＱプロセス番号を示す情報、ＰＵＣＣＨに対する送信電力制御（ＴＰＣ：Transmission Power Control）コマンド、ＰＵＳＣＨに対するＴＰＣコマンドを含めてもよい。なお、各上りリンクデータ送信のためのＤＣＩフォーマットには、上記情報のうち、その用途のために必要な情報（フィールド）が含まれる。
【００４７】
ＰＤＣＣＨは、下りリンク制御情報に巡回冗長検査（Cyclic Redundancy Check: CRC）を付加して生成される。ＰＤＣＣＨにおいて、ＣＲＣパリティビットは、所定の識別子を用いてスクランブル（排他的論理和演算、マスクとも呼ぶ）される。パリティビットは、Ｃ−ＲＮＴＩ（Cell-Radio Network Temporary Identifier）、ＳＰＳ（Semi Persistent
Scheduling）Ｃ−ＲＮＴＩ、Ｔｅｍｐｏｒａｒｙ  Ｃ−ＲＮＴＩ、Ｐ（Paging）−ＲＮ
ＴＩ、ＳＩ（System Information）−ＲＮＴＩ、またはＲＡ（Random Access）−ＲＮＴ
Ｉでスクランブルされる。Ｃ−ＲＮＴＩおよびＳＰＳ  Ｃ−ＲＮＴＩは、セル内において端末装置を識別するための識別子である。Ｔｅｍｐｏｒａｒｙ  Ｃ−ＲＮＴＩは、コンテンションベースランダムアクセス手順（contention based random access procedure）中に、ランダムアクセスプリアンブルを送信した端末装置を識別するための識別子である。Ｃ−ＲＮＴＩおよびＴｅｍｐｏｒａｒｙ  Ｃ−ＲＮＴＩは、単一のサブフレームにおけるＰＤＳＣＨ送信またはＰＵＳＣＨ送信を制御するために用いられる。ＳＰＳ  Ｃ−ＲＮＴＩは、ＰＤＳＣＨまたはＰＵＳＣＨのリソースを周期的に割り当てるために用いられる。Ｐ−ＲＮＴＩは、ページングメッセージ(Paging Channel: PCH)を送信するために用いら
れる。ＳＩ−ＲＮＴＩは、ＳＩＢを送信するために用いられる、ＲＡ−ＲＮＴＩは、ランダムアクセスレスポンス(ランダムアクセスプロシジャーにおけるメッセージ２)を送信するために用いられる。なお、前記識別子は、グラントフリー送信のためのＲＮＴＩを含んでもよい。グラントフリー送信のためのＲＮＴＩは、特定の複数の端末装置が共有でもちいるＲＮＴＩとすることができる。グラントフリー送信とは、上りリンクグラントによってダイナミックにリソース割り当てなしに、端末装置が基地局装置に対して同一のＰＵＳＣＨ（トランスポートブロック）を繰り返し送信する送信方法である。グラントフリー送信固有のＲＮＴＩによってスクランブルされたＣＲＣを付加したＤＣＩは、グラントフリー送信のためのリソース設定（ＤＭＲＳの設定パラメータ、グラントフリー送信可能な無線リソース、グラントフリー送信に用いられるＭＣＳ、繰り返し回数など）を含むことができる。
【００４８】
ＰＤＳＣＨは、下りリンクデータ（下りリンクトランスポートブロック、DL-SCH）を送信するために用いられる。ＰＤＳＣＨは、システムインフォメーションメッセージ（Syst
em Information Block: SIBとも称する。）を送信するために用いられる。ＳＩＢの一部
又は全部は、ＲＲＣメッセージに含めることができる。
【００４９】
ＰＤＳＣＨは、ＲＲＣシグナリングを送信するために用いられる。基地局装置から送信されるＲＲＣシグナリングは、セル内における複数の端末装置に対して共通（セル固有）であってもよい。すなわち、そのセル内のユーザ装置共通な情報は、セル固有のＲＲＣシグナリングを使用して送信される。基地局装置から送信されるＲＲＣシグナリングは、ある端末装置に対して専用のメッセージ（dedicated signalingとも称する）であってもよ
い。すなわち、ユーザ装置スペシフィック（ユーザ装置固有）な情報は、ある端末装置に対して専用のメッセージを使用して送信される。
【００５０】
ＰＤＳＣＨは、ＭＡＣ  ＣＥを送信するために用いられる。ＲＲＣシグナリングおよび／またはＭＡＣ  ＣＥを、上位層の信号（higher layer signaling）とも称する。ＰＭＣＨは、マルチキャストデータ（Multicast Channel: MCH）を送信するために用いられる。
【００５１】
図１の下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５２】
同期信号は、端末装置が、下りリンクの周波数領域および時間領域の同期を取るために用いられる。下りリンク参照信号は、端末装置が、下りリンク物理チャネルの伝搬路推定／伝搬路補正を行なうために用いられる。例えば、下りリンク参照信号は、ＰＢＣＨ、ＰＤＳＣＨ、ＰＤＣＣＨを復調するために用いられる。下りリンク参照信号は、端末装置が、下りリンクのチャネル状態の測定（ＣＳＩ  ｍｅａｓｕｒｅｍｅｎｔ）するために用いることもできる。
【００５３】
下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５４】
ＢＣＨ、ＵＬ−ＳＣＨおよびＤＬ−ＳＣＨは、トランスポートチャネルである。ＭＡＣ層で用いられるチャネルを、トランスポートチャネルと称する。ＭＡＣ層で用いられるトランスポートチャネルの単位を、トランスポートブロック（ＴＢ：Transport Block）、
または、ＭＡＣ  ＰＤＵ（Protocol Data Unit）とも称する。トランスポートブロックは、ＭＡＣ層が物理層に渡す（deliverする）データの単位である。物理層において、トラ
ンスポートブロックはコードワードにマップされ、コードワード毎に符号化処理などが行なわれる。
【００５５】
図６は、本実施形態に係る通信システム１の無線フレーム構成の一例を示す図である。１つの無線フレームは１０ｍｓの長さで固定的に定義される。１つのサブフレームは、１ｍｓの長さで固定的に定義される。１つの無線フレームが１０個のサブフレームから構成される。１つのスロットは、ＯＦＤＭシンボル数で定義される。１つのサブフレームに含まれるスロット数は、１つのスロットに含まれるＯＦＤＭ数によって変わる。図６では、１つのスロットが、スロット長０．５ｍｓとなる７つのＯＦＤＭシンボルから構成される例である。この場合、１つのサブフレームは２つのサブフレームから構成される。１つのミニスロットは、ＯＦＤＭシンボル数で定義される。ミニスロットに含まれるＯＦＤＭシンボル数は、スロットに含まれるＯＦＤＭシンボル数より小さい。図６では、１つのミニ
スロットが２つのＯＦＤＭシンボルで構成される例である。通信システム１は、スロット単位またはミニスロット単位で、物路チャネルを無線リソースにマッピングする。なお、ＤＦＴ−ｓ−ＯＦＤＭを用いて通信を行う場合、前記ＯＦＤＭシンボルは、ＳＣ−ＦＤＭＡ（Single Carrier - Frequency Division Multiple Access）シンボルとなる。
【００５６】
基地局装置１０は、基地局装置１０および端末装置２０が送信する物理チャネルをマッピングする無線リソースを決定するスケジューリングを行う。スケジューリング方法は、ダイナミックスケジューリング（ＤＳ）とセミパーシステントスケジューリング（ＳＰＳ）が用いられる。ＤＳでは、ＰＤＳＣＨ／ＰＵＳＣＨの周波数／時間／空間リソースがダイナミックに割り当てられる。ＳＰＳでは、一定の周期で、ＰＤＳＣＨ／ＰＵＳＣＨの周波数／時間／空間リソースが割り当てられる。図７は、本実施形態に係るスケジューリング方法の一例を示す図である。図７（Ａ）は、下りリンクにおけるＤＳの例である。ＰＤＣＣＨ１およびＰＤＣＣＨ２はＤＳのための下りリンクアサインメントである。ＰＤＣＣＨ１およびＰＤＣＣＨ２のＣＲＣは、Ｃ−ＲＮＴＩでスクランブルされている。基地局装置１０は、ＰＤＳＣＨ１を送信する場合、該ＰＤＳＣＨ１をマッピングするリソースブロック割り当て、ＭＣＳなどを示すＤＣＩをＰＤＣＣＨ１で端末装置２０へ送信する。端末装置２０は、ＰＤＣＣＨ１に含まれるＤＣＩを基に、ＰＤＳＣＨ１のリソース割り当てやＭＣＳを解釈し、ＰＤＳＣＨ１の検出処理を行う。基地局装置１０は、ＰＤＳＣＨ２を送信する場合、該ＰＤＳＣＨ２をマッピングするリソースブロック割り当て、ＭＣＳなどを示すＤＣＩをＰＤＣＣＨ２で端末装置２０へ送信する。端末装置２０は、ＰＤＣＣＨ２に含まれるＤＣＩを基に、ＰＤＳＣＨ２のリソース割り当てやＭＣＳを解釈し、ＰＤＳＣＨ２の検出処理を行う。このように、ＤＳでは、基地局装置は、送信するＰＤＳＣＨ毎に、その制御情報を送信する。
【００５７】
図７（Ｂ）は、下りリンクにおけるＳＰＳの例である。ＰＤＣＣＨ３は、ＳＰＳのための下りリンクアサインメントである。ＰＤＣＣＨ３のＣＲＣは、ＳＰＳ  Ｃ−ＲＮＴＩでスクランブルされている。基地局装置１０は、ＲＲＣメッセージを用いて、ＳＰＳ設定情報を送信する。ＳＰＳ設定情報は、ＰＤＳＣＨのスケジューリング間隔、および該送信間隔と関連付けるＳＰＳ  Ｃ−ＲＮＴＩを含む。基地局装置１０は、ＳＰＳを用いてＰＤＳＣＨを送信する場合、該ＳＰＳ  Ｃ−ＲＮＴＩを用いてスクランブルされたＣＲＣを含むＰＤＣＣＨ３を端末装置２０に送信する。ＰＤＣＣＨ３をデコードした端末装置２０は、前記スケジューリング間隔で送信されたＰＤＳＣＨ３からＰＤＳＣＨ５を、該ＰＤＣＣＨに含まれる制御情報に基づいて検出する。
【００５８】
基地局装置１０は、同様に、ＰＵＳＣＨのスケジューリングを行う。この場合、図７（Ａ）におけるＰＤＳＣＨ１およびＰＤＳＣＨ２は、ＰＵＳＣＨ１およびＰＵＳＣＨ２に置き換わる。ＰＤＣＣＨ１およびＰＤＣＣＨ２は各々、ＰＤＳＣＨ１およびＰＤＳＣＨ２のための上りリンクグラントである。図７（Ｂ）におけるＰＤＳＣＨ３、ＰＤＳＣＨ４およびＰＤＳＣＨ５は、ＰＵＳＣＨ３、ＰＵＳＣＨ４およびＰＵＳＣＨ５に置き換わる。ＰＤＣＣＨ３は、ＰＤＳＣＨ３からＰＤＳＣＨ５のための上りリンクグラントである。なお、ＳＰＳは、図７（Ｂ）の方法に制限されるものではなく、グラントフリー送信のリピティション送信（同一のＰＤＳＣＨ（トランスポートブロック）を繰り返し送信する方式）も含む概念である。この場合、繰り返し回数などのグラントフリー送信のための設定は、前記ＰＤＣＣＨ３／ＲＲＣメッセージで送信される。
【００５９】
図８は、本実施形態に係る基地局装置１０の構成の概略ブロック図である。基地局装置１０は、上位層処理部（上位層処理ステップ）１０２、制御部（制御ステップ）１０４、送信部（送信ステップ）１０６、送信アンテナ１０８、受信アンテナ１１０、受信部（受信ステップ）１１２を含んで構成される。送信部１０６は、上位層処理部１０２から入力される論理チャネルに応じて、物理下りリンクチャネルを生成する。送信部１０６は、符
号化部（符号化ステップ）１０６０、変調部（変調ステップ）１０６２、下りリンク制御信号生成部（下りリンク制御信号生成ステップ）１０６４、下りリンク参照信号生成部（下りリンク参照信号生成ステップ）１０６６、多重部（多重ステップ）１０６８、および無線送信部（無線送信ステップ）１０７０を含んで構成される。受信部１１２は、物理上りリンクチャネルを検出し（復調、復号など）、その内容を上位層処理部１０２に入力する。受信部１１２は、無線受信部（無線受信ステップ）１１２０、伝搬路推定部（伝搬路推定ステップ）１１２２、多重分離部（多重分離ステップ）１１２４、等化部（等化ステップ）１１２６、復調部（復調ステップ）１１２８、復号部（復号ステップ）１１３０を含んで構成される。
【００６０】
上位層処理部１０２は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層などの物理層より上位層の処理を行なう。上位層処理部１０２は、送信部１０６および受信部１１２の制御を行なうために必要な情報を生成し、制御部１０４に出力する。上位層処理部１０２は、下りリンクデータ（DL-SCHなど）、システム情報(MIB, SIB)などを送信部１０６に出力する。
【００６１】
上位層処理部１０２は、ブロードキャストするシステム情報（MIB、又はSIBの一部）を生成、又は上位ノードから取得する。上位層処理部１０２は、ＢＣＨ／ＤＬ−ＳＣＨとして、前記ブロードキャストするシステム情報を送信部１０６に出力する。前記ＭＩＢは、送信部１０６において、ＰＢＣＨに配置される。前記ＳＩＢは、送信部１０６において、ＰＤＳＣＨに配置される。上位層処理部１０２は、端末装置固有のシステム情報(SIB)を
生成し、又は上位の―度から取得する。上位層処理部は、該ＳＩＢに、ｅＭＢＢ／ｕＲＬＬＣ／ｍＭＴＣなど用途に関する情報を含めてもよい。該ＳＩＢは、送信部１０６において、ＰＤＳＣＨに配置される。
【００６２】
上位層処理部１０２は、各端末装置のための各種ＲＮＴＩを設定する。前記ＲＮＴＩは、ＰＤＣＣＨ、ＰＤＳＣＨなどの暗号化（スクランブリング）に用いられる。上位層処理部１０２は、前記ＲＮＴＩを、制御部１０４／送信部１０６／受信部１１２に出力する。
【００６３】
上位層処理部１０２は、ＰＤＳＣＨに配置される下りリンクデータ（トランスポートブロック、DL-SCH）、端末装置固有のシステムインフォメーション（System Information Block: SIB）、ＲＲＣメッセージ、ＭＡＣ  ＣＥなどを生成、又は上位ノードから取得し
、送信部１０６に出力する。上位層処理部１０２は、端末装置２０の各種設定情報の管理をする。なお、無線リソース制御の機能の一部は、ＭＡＣレイヤや物理レイヤで行われてもよい。
【００６４】
ＲＲＣメッセージは、ＣＱＩレポート（ＣＳＩレポートとも称する）の設定情報を含む。ＣＱＩレポートの設定情報は、「ＣＱＩテーブル選択」の設定情報を含む。「ＣＱＩテーブル選択」は、６４ＱＡＭモードのためのＣＱＩテーブル（６４ＱＡＭモードＣＱＩテーブル）、または２５６ＱＡＭモードのためのＣＱＩテーブル（２５６ＱＡＭモードＣＱＩテーブル）のいずれのＣＱＩテーブルを用いるか、を示す情報である。「ＣＱＩテーブル選択」によって、２５６ＱＡＭモードＣＱＩテーブルが設定されることは、端末装置２０に対して、該２５６ＱＡＭモードＣＱＩテーブルが設定されたスロットにおいて、図３のＣＱＩテーブルを適用して、ＣＱＩレポートを行うことを示す。「ＣＱＩテーブル選択」によって、２５６ＱＡＭモードＣＱＩテーブルが設定されないことは、端末装置２０に対して、２５６ＱＡＭモードＣＱＩテーブルが設定されないスロットにおいて、図２のＣＱＩテーブルを適用して、ＣＱＩレポートを行うことを示す。
【００６５】
ＲＲＣメッセージに含まれるＳＰＳ設定情報は、下りリンクにおけるＭＣＳ制限設定情報を含む。下りリンクにおけるＭＣＳ制限情報は、「ＣＱＩテーブル選択」の設定に基づいて選択されたＭＣＳテーブルにおいて、設定できるＭＣＳインデックス（変調方式）の範囲を制限する情報である。例えば、ＭＣＳ制限設定情報は、（１／２）のｎ乗（ｎは、０、１、・・・）を示す情報である。図３および４において、ＭＣＳ制限設定情報は、「１」、「１／２」、「１／４」で設定されている。ＭＣＳ制限設定情報「１」は、ＭＣＳテーブル内の全ＭＣＳインデックス（図３、４の領域Ａ）を選択できることを示す（図３、図４では、ＭＣＳインデックス０〜３１で選択可能であることを示す）。ＭＣＳ制限設定情報「１／２」は、ＭＣＳテーブル内の全ＭＣＳインデックスのうち、最下位ビット（Least Significant Bit: LSB）を含む１／２の範囲（図３、４の領域Ｂ）に制限することを示す（図３、図４では、ＭＣＳインデックス０〜１５の範囲に制限することを示す）。ＭＣＳ制限設定情報「１／４」は、ＭＣＳテーブル内の全ＭＣＳインデックスのうち、最下位ビット（Least Significant Bit: LSB）を含む１／４の範囲（図３、４の領域Ｃ）に制限することを示す（図３、図４では、ＭＣＳインデックス０〜７の範囲に制限することを示す）。
【００６６】
ＭＣＳ制限設定情報「１」、「１／２」、「１／４」が設定されたことは、ＳＰＳの活性化が有効にされたこと（有効にアクティベートされたこと）を示す条件とすることができる。上位層処理部１０２は、ＭＣＳ制限設定情報に「０」を設定することができる。ＭＣＳ制限設定情報「０」に設定されたことは、ＳＰＳの非活性化（リリース）が有効にされたことを示す条件とすることができる。なお、前記ＭＣＳ制限設定情報は、「ＣＱＩテーブル選択」がリファレンステーブルを選択した場合のみ適用されるようにしてもよい。また、前記ＭＣＳ制限設定情報は、「ＣＱＩテーブル選択」が全スロットに対して設定された場合のみ適用されるようにしてもよい。
【００６７】
ＲＲＣメッセージに含まれるＳＰＳ設定情報は、上りリンクにおけるＭＣＳ制限設定情報を含めることができる。上りリンクにおけるＭＣＳ制限情報は、前記「ＭＣＳテーブル選択」の設定に基づいて選択されたＭＣＳテーブルにおいて、設定できるＭＣＳインデックス（変調方式）の範囲を制限する情報である。上りリンクにおけるＭＣＳ制限設定情報「０」、「１」、「１／２」、「１／４」は、下りリンクにおけるＭＣＳ制限設定情報と同様の設定を示す。
【００６８】
上位層処理部１０２は、端末装置がサポートする機能（UE capability）等、端末装置
に関する情報を端末装置２０（受信部１１２を介して）から受信する。端末装置２０は、自身の機能を基地局装置１０に上位層の信号（ＲＲＣシグナリング）で送信する。端末装置に関する情報は、その端末装置が所定の機能をサポートするかどうかを示す情報、または、その端末装置が所定の機能に対する導入およびテストの完了を示す情報を含む。所定の機能をサポートするかどうかは、所定の機能に対する導入およびテストを完了しているかどうかを含む。
【００６９】
端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しないようにしてよい。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００７０】
UE capabilityは、端末装置２０が上りリンク／下りリンクにおいて２５６ＱＡＭモー
ドＣＱＩレポート設定をサポートしているかを示す情報を含む。上位層処理部１０２／制
御部１０４は、UE capabilityに基づいて、２５６ＱＡＭモードＣＱＩレポート設定を行
う。UE capabilityは、端末装置２０が上りリンク／下りリンクにおいてＳＰＳをサポー
トしているかを示す情報を含む。上位層処理部１０２／制御部１０４は、UE capability
に基づいて、ＤＳ／ＳＰＳの設定を行う。
【００７１】
上位層処理部１０２は、受信部１１２を介して、ＰＤＳＣＨに含まれるＣＳＩレポート（Aperiodic CSI）を端末装置２０から受信する。上位層処理部１０２は、前記ＣＳＩレ
ポートに含まれる前記ＣＱＩインデックスを制御部１０４に入力する。
【００７２】
上位層処理部１０２は、受信部１１２から復号後の上りリンクデータ（ＣＲＣも含む）からDL-SCHを取得する。上位層処理部１０２は、端末装置が送信した前記上りリンクデータに対して誤り検出を行う。例えば、該誤り検出はＭＡＣ層で行われる。
【００７３】
制御部１０４は、上位層処理部１０２／受信部１１２から入力された各種設定情報に基づいて、送信部１０６および受信部１１２の制御を行なう。制御部１０４は、上位層処理部１０２／受信部１１２から入力された設定情報に基づいて、下りリンク制御情報（ＤＣＩ）を生成し、送信部１０６に出力する。制御部１０４は、上位層処理部１０２／受信部１１２から入力されたＣＳＩレポート（Aperiodic CQI/Periodic CQI）を考慮して、ＰＤＳＣＨのＭＣＳを決定する。制御部１０４は、前記ＰＤＳＣＨのＭＣＳに対応するＭＣＳインデックスを決定する。制御部１０４は、「ＣＱＩテーブル選択」に基づいて選択されたＭＣＳテーブルを適用して、前記ＰＤＳＣＨのためのＭＣＳインデックスを決定する。制御部１０４は、決定したＭＣＳインデックスを下りリンクアサインメントに含める。
【００７４】
制御部１０４は、伝搬路推定部１１２２で測定されたチャネル品質情報（ＣＳＩ  Ｍｅａｓｕｒｅｍｅｎｔ結果）を考慮して、ＰＵＳＣＨのＭＣＳを決定する。制御部１０４は、前記ＰＵＳＣＨのＭＣＳに対応するＭＣＳインデックスを決定する。制御部１０４は、上りリンクのための前記「ＭＣＳテーブル選択」に基づいて選択されたＭＣＳテーブルを適用して、前記ＰＵＳＣＨのためのＭＣＳインデックスを決定する。制御部１０４は、決定したＭＣＳインデックスをアップリンクグラントに含める。
【００７５】
制御部１０４は、Ｃ−ＲＮＴＩでスクランブルされたＣＲＣをもつＤＣＩ（下りリンクアサインメント／上りリンクグラント）でＭＣＳインデックスを送信する場合（ＤＳでＰＤＳＣＨ／ＰＵＳＣＨを送信する場合）、ＭＣＳ制限情報によらず、ＭＣＳテーブルの全範囲から好適なＭＣＳインデックスを決定する。一方、制御部１０４は、ＳＰＳ  Ｓ−ＲＮＴＩでスクランブルされたＣＲＣをもつＤＣＩ（下りリンクアサインメント／上りリンクグラント）でＭＣＳインデックスを送信する場合（ＳＰＳでＰＤＳＣＨ／ＰＵＳＣＨを送信する場合）、ＭＣＳ制限情報に従ったＭＣＳテーブルの範囲内から好適なＭＣＳインデックスを決定する。図４および図５のテーブルにおいて、「ＭＣＳ制限情報」が「１」の場合、ＭＣＳインデックスは「00000」〜「11111」から選択される。「ＭＣＳ制限情報」が「１／２」の場合、ＭＣＳインデックスは「00000」〜「01111」から選択される（ＭＣＳインデックスの最上位ビットは「０」にセットされる）。「ＭＣＳ制限情報」が「１／４」の場合、ＭＣＳインデックスは「00000」〜「00111」から選択される（ＭＣＳインデックスの最上位ビットから２ビットは「０」にセットされる）。
【００７６】
なお、前記ＭＣＳ制限情報は、ＤＣＩで送信されてもよい。例えば、ＭＣＳ制限設定情報が「０」、「１」、「１／２」、「１／４」から選択される場合、２ビットで表現される。具体的には、「０」は、「00」、「１／４」は「01」、「１／２」は「10」、「１」は「11」と表現してよい。なお、制御部１０４の一部の機能は、上位層処理部１０２に含めることができる。
【００７７】
送信部１０６は、上位層処理部１０２／制御部１０４から入力された信号に従って、ＰＢＣＨ、ＰＤＣＣＨ、ＰＤＳＣＨおよび下りリンク参照信号などを生成する。符号化部１０６０は、上位層処理部１０２から入力されたＢＣＨ、ＤＬ−ＳＣＨなどを、予め定められた／上位層処理部１０２が決定した符号化方式を用いて、ブロック符号化、畳み込み符号化、ターボ符号化などの符号化（リピティションを含む）を行なう。符号化部１０６０は、制御部１０４から入力された符号化率に基づいて、符号化ビットをパンクチャリングする。変調部１０６２は、符号化部１０６０から入力された符号化ビットをＢＰＳＫ、ＱＰＳＫ、１６ＱＡＭ、６４ＱＡＭ、２５６ＱＡＭ、等の予め定められた／制御部１０４から入力された変調方式（変調オーダー）でデータ変調する。該変調オーダーは、制御部１０４で選択された前記ＭＣＳインデックスに基づく。
【００７８】
下りリンク制御信号生成部１０６４は、制御部１０４から入力されたＤＣＩに対してＣＲＣを付加する。下りリンク制御信号生成部１０６４は、前記ＣＲＣに対して、ＲＮＴＩを用いて暗号化（スクランブリング）を行う。さらに、下りリンク制御信号生成部１０６４は、前記ＣＲＣが付加されたＤＣＩに対してＱＰＳＫ変調を行い、ＰＤＣＣＨを生成する。下りリンク制御信号生成部１０６４は、Ｃ−ＲＮＴＩを用いてスクランブルされたＣＲＣをＤＣＩに付加することで、ＤＳのためのＰＤＣＣＨ１及びＰＤＣＣＨ２（図７（Ａ））を生成する。下りリンク制御信号生成部１０６４は、ＳＰＳ  Ｃ−ＲＮＴＩを用いてスクランブルされたＣＲＣをＤＣＩに付加することで、ＳＰＳのためのＰＤＣＣＨ３（図７（Ｂ））を生成する。下りリンク参照信号生成部１０６６は、端末装置が既知の系列を下りリンク参照信号として生成する。前記既知の系列は、基地局装置１０を識別するための物理セル識別子などの基に予め定められた規則で求まる。
【００７９】
多重部１０６８は、ＰＤＣＣＨ／下りリンク参照信号／変調部１０６２から入力される各チャネルの変調シンボルを多重する。つまり、多重部１０６８は、ＰＤＣＣＨ／下りリンク参照信号を／各チャネルの変調シンボルをリソースエレメントにマッピングする。マッピングするリソースエレメントは、前記制御部１０４から入力される下りリンクスケジューリングによって制御される。リソースエレメントは、１つのＯＦＤＭシンボルと１つのサブキャリアからなる物理リソースの最小単位である。なお、ＭＩＭＯ伝送を行う場合、送信部１０６は符号化部１０６０および変調部１０６２をレイヤ数具備する。この場合、上位層処理部１０２は、各レイヤのトランスポートブロック毎にＭＣＳを設定する。
【００８０】
無線送信部１０７０は、多重された変調シンボルなどを逆高速フーリエ変換（Inverse Fast Fourier Transform: IFFT）してＯＦＤＭシンボルを生成する。無線送信部１０７０は、前記ＯＦＤＭシンボルにサイクリックプレフィックス（cyclic prefix: CP）を付加
してベースバンドのディジタル信号を生成する。さらに、無線送信部１０７０は、前記ディジタル信号をアナログ信号に変換し、フィルタリングにより余分な周波数成分を除去し、搬送周波数にアップコンバートし、電力増幅し、送信アンテナ１０８に出力して送信する。
【００８１】
受信部１１２は、制御部１０４の指示に従って、受信アンテナ１１０を介して端末装置２０からの受信信号を検出（分離、復調、復号）し、復号したデータを上位層処理部１０２／制御部１０４に入力する。無線受信部１１２０は、受信アンテナ１１０を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。無線受信部１１２０は、変換したディジタル信号からＣＰに相当する部分を除去する。無線受信部１１２０は、ＣＰを除去した信号に対して高速フーリエ変換（Fast Fourier Transform: FFT）を行い、周波数領域の信号を抽出する。
前記周波数領域の信号は、多重分離部１１２４に出力される。
【００８２】
多重分離部１１２４は、制御部１０４から入力される上りリンクのスケジューリングの情報（上りリンクデータチャネル割当て情報など）に基づいて、無線受信部１１２０から入力された信号をＰＵＳＣＨ、ＰＵＣＣＨ及上りリンク参照信号などの信号に分離する。前記分離された上りリンク参照信号は、伝搬路推定部１１２２に入力される。前記分離されたＰＵＳＣＨ、ＰＵＣＣＨは、等化部１１２６に出力する。
【００８３】
伝搬路推定部１１２２は、上りリンク参照信号を用いて、周波数応答（または遅延プロファイル）を推定する。復調用に伝搬路推定された周波数応答結果は、等化部１１２６へ入力される。伝搬路推定部１１２２は、上りリンク参照信号を用いて、上りリンクのチャネル状況の測定（RSRP(Reference Signal Received Power)、RSRQ(Reference Signal Received Quality)、RSSI(Received Signal Strength Indicator)の測定）を行う。上りリンクのチャネル状況の測定は、ＰＵＳＣＨのためのＭＣＳの決定などに用いられる。
【００８４】
等化部１１２６は、伝搬路推定部１１２２より入力された周波数応答より伝搬路での影響を補償する処理を行う。補償の方法としては、ＭＭＳＥ重みやＭＲＣ重みを乗算する方法や、ＭＬＤを適用する方法等、既存のいかなる伝搬路補償を適用することができる。復調部１１２８は、予め決められている／制御部１０４から指示される変調方式の情報に基づき、復調処理を行う。なお、下りリンクにおいてＤＦＴ−ｓ−ＯＦＤＭが用いられる場合、復調部１１２８は、等化部１１２６の出力信号に対してＩＤＦＴ処理を行った結果に対して、復調処理を行う。
【００８５】
復号部１１３０は、予め決められている符号化率／制御部１０４から指示される符号化率の情報に基づいて、前記復調部の出力信号に対して復号処理を行う。復号部１１３０は、復号後のデータ（UL-SCHなど）を上位層処理部１０２に入力する。
【００８６】
図９は、本実施形態に係るＳＰＳにおけるＭＣＳインデックス設定例のフローを示す図である。上位層処理部１０２は、「ＣＱＩテーブル選択」の設定情報に基づいて、ＭＣＳテーブルを選択する（Ｓ１０１）。次に、Ｓ１０１で選択したＭＣＳテーブルのいずれの領域かを示すＭＣＳ制限情報を設定する（Ｓ１０２）。次に、ＣＳＩレポートに含まれるＣＳＩインデックスを考慮して、前記ＭＣＳ制限情報で示された領域内からＭＣＳインデックスが設定される（Ｓ１０４）。そして、前記ＭＣＳインデックスを含むＤＣＩ（下りリンクアサインメント／上りリンクグラント）が生成される。さらに、前記ＤＣＩにＳＰＳ  Ｃ―ＲＮＴＩでスクランブルされたＣＲＣを付加したＰＤＣＣＨが送信される（Ｓ１０４）。ＰＤＣＣＨを送信後、ＳＰＳ設定情報で示した送信間隔で、ＰＤＳＣＨ送信またはＰＵＳＣＨ受信を周期的に行う（Ｓ１０５）。
【００８７】
以上のように、本実施形態では、ＳＰＳによって送信されるＰＤＳＣＨおよびＰＵＳＣＨのＭＣＳの設定に用いるＭＣＳテーブルを特定する。そして、ＭＣＳ制限情報によって、そのＭＣＳテーブル内で選択できるＭＣＳインデックスの範囲を柔軟に可変することができる。このため、周期的に送信されるＰＤＳＣＨおよびＰＵＳＣＨのデータ量に応じて、選択できるＭＣＳの範囲およびＭＣＳの粒度を調整することができる。
【００８８】
図１０は、本実施形態における端末装置２０の構成を示す概略ブロック図である。端末装置２０は、上位層処理部（上位層処理ステップ）２０２、制御部（制御ステップ）２０４、送信部（送信ステップ）２０６、送信アンテナ２０８、受信アンテナ２１０および受信部（受信ステップ）２１２を含んで構成される。
【００８９】
上位層処理部２０２は、媒体アクセス制御（ＭＡＣ）層、パケットデータ統合プロトコル（ＰＤＣＰ）層、無線リンク制御（ＲＬＣ）層、無線リソース制御（ＲＲＣ）層の処理
を行なう。上位層処理部２０２は、自端末装置の各種設定情報の管理をする。上位層処理部２０２は、自端末装置がサポートしている端末装置の機能を示す情報（UE Capability
）を、送信部２０６を介して、基地局装置１０へ通知する。上位層処理部２０２は、UE CapabilityをＲＲＣシグナリングで通知する。例えば、UE Capabilityは、２５６ＱＡＭモードＣＱＩレポート設定をサポートしているかを示す情報を含む。
【００９０】
上位層処理部２０２は、下りリンクの伝搬路状況（チャネル状況）の測定結果（ＣＳＩ測定結果）を受信部２１２から取得する。
【００９１】
上位層処理部２０２は、基地局装置１０が送信したＲＲＣメッセージを受信部２１２から取得する。ＲＲＣメッセージは、ＣＱＩレポートの設定情報を含む。該ＣＱＩレポートの設定情報は、「ＣＱＩテーブル選択」の設定情報を含む。上位層処理部２０２は、前記ＣＳＩ測定結果に加え、前記「ＣＱＩテーブル選択」によって示されたＣＱＩテーブル（図２または図３のＣＱＩテーブル）に基づいて、ＰＤＳＣＨのトランスポートブロックが所定のブロック誤り確率（例えば、誤り率０．１）を超えずに受信可能であろうＣＱＩインデックスをＣＱＩテーブルから選択する。上位層処理部２０２は、該ＣＱＩインデックスを含むＣＱＩレポートを生成する（Aperiodic CQI）。なお、上位層処理部２０２は、
ＭＣＳ制限情報の指示された変調オーダーの範囲で、ＣＱＩインデックスを選択してもよい。
【００９２】
前記ＣＱＩレポート設定情報は、ＣＱＩレポート(Periodic CQI)の周期性に関する設定情報（ＣＱＩのレポート区間など）を含む。該周期性に関する設定情報は、前記ＣＱＩインデックスとともに、制御部２０４に入力される。Periodic CQIに含まれるＣＱＩインデックスは、ＵＣＩに含まれる。上位層処理部２０２は、前記「ＣＱＩテーブル選択」を制御部２０４に入力する。
【００９３】
ＲＲＣメッセージは、ＳＰＳ設定情報を含む。上位層処理部２０２は、前記ＳＰＳ設定情報に含まれるＳＰＳ  Ｃ−ＲＮＴＩ、ＳＰＳ送信間隔およびＭＣＳ制限情報は、制御部２０４に入力される。制御部２０４は、ＭＣＳ制限情報が「１／４」、「１／２」、「１」の場合、ＳＰＳの設定の活性化が有効であると判断する。制御部２０４は、ＭＣＳ制限情報が「０」の場合、ＳＰＳの設定の非活性化（リリース）が有効にされたと判断する。なお、前記ＭＣＳ制限情報がＤＣＩに含まれる場合、制御部２０４がＳＰＳの活性化／非活性化の有効性を判断してもよい。ＳＰＳの活性化／非活性化の有効性は、前記ＭＣＳ制限情報に加え、ＤＣＩに含まれるパラメータを用いて、総合的に判断するようにしてもよい。
【００９４】
上位層処理部２０２は、ＤＬ−ＳＣＨ、ＢＣＨなどの復号後のデータを受信部２１２から取得する。上位層処理部２０２は、前記ＤＬ−ＳＣＨの誤り検出結果から、ＨＡＲＱ−ＡＣＫを生成する。上位層処理部２０２は、ＳＲを生成する。上位層処理部２０２は、ＨＡＲＱ−ＡＣＫ／ＳＲ／ＣＳＩ（ＣＱＩレポートを含む）を含むＵＣＩを生成する。上位層処理部２０２は、前記ＵＣＩやＵＬ−ＳＣＨを送信部２０６に入力する。なお、上位層処理部２０２の機能の一部は、制御部２０４に含めてもよい。
【００９５】
制御部２０４は、前記周期性に関する設定情報に従って、ＵＣＩで送信するＣＱＩレポート(Aperiodic CQI)を制御する。制御部２０４は、受信部２１２を介して受信した下り
リンク制御情報（ＤＣＩ）を解釈する。制御部２０４は、上りリンク送信のためのＤＣＩから取得したＰＵＳＣＨのスケジューリング／ＭＣＳインデックス／ＴＰＣ（Transmission Power Control）などに従って、送信部２０６を制御する。制御部２０４は、下りリンク送信のためのＤＣＩから取得したＰＤＳＣＨのスケジューリング／ＭＣＳインデックスなどに従って、受信部２１２を制御する。制御部２０４は、前記ＳＰＳのセット／リリー
スの有効性に基づいて、ＰＤＳＣＨの受信およびＰＵＣＣＨの送信を行う。
【００９６】
送信部２０６は、符号化部（符号化ステップ）２０６０、変調部（変調ステップ）２０６２、上りリンク参照信号生成部（上りリンク参照信号生成ステップ）２０６４、上りリンク制御信号生成部（上りリンク制御信号生成ステップ）２０６６、多重部（多重ステップ）２０６８、無線送信部（無線送信ステップ）２０７０を含んで構成される。
【００９７】
符号化部２０６０は、制御部２０４の制御に従って（ＭＣＳインデックスに基づいて算出される符号化率に従って）、上位層処理部２０２から入力された上りリンクデータ（UL-SCH）を畳み込み符号化、ブロック符号化、ターボ符号化等の符号化を行う。
【００９８】
変調部２０６２は、ＢＰＳＫ、ＱＰＳＫ、１６ＱＡＭ、６４ＱＡＭ、２５６ＱＡＭ等の制御部２０４から指示された変調方式／チャネル毎に予め定められた変調方式で、符号化部２０６０から入力された符号化ビットを変調する（ＰＵＳＣＨのための変調シンボルを生成する）。なお、ＤＦＴ−Ｓ−ＯＦＤＭを用いる場合、変調後、ＤＦＴ（Discrete Fourier Transform）処理が行われる。
【００９９】
上りリンク参照信号生成部２０６４は、制御部２０４の指示に従って、基地局装置１０を識別するための物理セル識別子（physical cell identity: PCI、Cell IDなどと称される）、上りリンク参照信号を配置する帯域幅、サイクリックシフト、ＤＭＲＳシーケンスの生成に対するパラメータの値などを基に、予め定められた規則（式）で求まる系列を生成する。
【０１００】
上りリンク制御信号生成部２０６６は、制御部２０４の指示に従って、ＵＣＩを符号化、ＢＰＳＫ／ＱＰＳＫ変調を行い、ＰＵＣＣＨのための変調シンボルを生成する。
【０１０１】
多重部２０６８は、制御部２０４からの上りリンクスケジューリング情報（ＲＲＣメッセージに含まれる上りリンクのためのＳＰＳにおける送信間隔、ＤＣＩに含まれるリソース割り当てなど）に従って、ＰＵＳＣＨのための変調シンボル、ＰＵＣＣＨのための変調シンボル、上りリンク参照信号を送信アンテナポート毎に多重する（つまり、各信号はリソースエレメントにマップされる）。
【０１０２】
無線送信部２０７０は、多重された信号をＩＦＦＴ（Inverse Fast Fourier Transform）して、ＯＦＤＭシンボルを生成する。無線送信部２０７０は、前記ＯＦＤＭシンボルにＣＰを付加し、ベースバンドのディジタル信号を生成する。さらに、無線送信部２０７０は、前記ベースバンドのディジタル信号をアナログ信号に変換し、余分な周波数成分を除去し、アップコンバートにより搬送周波数に変換し、電力増幅し、送信アンテナ２０８を介して基地局装置１０に送信する。
【０１０３】
受信部２１２は、無線受信部（無線受信ステップ）２１２０、多重分離部（多重分離ステップ）２１２２、伝搬路推定部（伝搬路推定ステップ）２１４４、等化部（等化ステップ）２１２６、復調部（復調ステップ）２１２８、復号部（復号ステップ）２１３０を含んで構成される。
【０１０４】
無線受信部２１２０は、受信アンテナ２１０を介して受信した下りリンク信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部２１２０は、変換したディジタル信号からＣＰに相当する部分を除去し、ＣＰを除去した信号に対してＦＦＴを行い、周波数領域の信号を抽出する。
【０１０５】
多重分離部２１２２は、前記抽出した周波数領域の信号を下りリンク参照信号、ＰＤＣＣＨ、ＰＤＳＣＨ、ＰＢＣＨに分離する。伝搬路推定部２１２４は、下りリンク参照信号（ＤＭ−ＲＳなど）を用いて、周波数応答（または遅延プロファイル）を推定する。復調用に伝搬路推定された周波数応答結果は、等化部１１２６へ入力される。伝搬路推定部２１２４は、下りリンク参照信号（ＣＳＩ−ＲＳなど）を用いて、上りリンクのチャネル状況の測定（RSRP(Reference Signal Received Power)、RSRQ(Reference Signal Received Quality)、RSSI(Received Signal Strength Indicator)、SINR(Signal to Interference plus Noise power Ratio）の測定)を行う。下りリンクのチャネル状況の測定は、ＰＵＳ
ＣＨのためのＭＣＳの決定などに用いられる。下りリンクのチャネル状況の測定結果は、ＣＱＩインデックスの決定などに用いられる。
【０１０６】
等化部２１２６は、伝搬路推定部２１２４より入力された周波数応答よりＭＭＳＥ規範に基づく等化重みを生成する。等化部２１２６は、多重分離部２１２２からの入力信号（ＰＵＣＣＨ、ＰＤＳＣＨ、ＰＢＣＨなど）に該等化重みを乗算する。復調部２１２８は、予め決められている／制御部２０４から指示される変調オーダーの情報に基づき、復調処理を行う。
【０１０７】
復号部２１３０は、予め決められている符号化率／制御部２０４から指示される符号化率の情報に基づいて、前記復調部２１２８の出力信号に対して復号処理を行う。復号部２１３０は、復号後のデータ（DL-SCHなど）を上位層処理部２０２に入力する。
【０１０８】
本発明の一又は複数の態様によれば、基地局装置および端末装置は、ＳＰＳにおけるＭＣＳの設定において、ＤＳと共通ＭＣＳテーブルを用いて、ＭＣＳテーブル選択を行う。そして、選択されたＭＣＳテーブルに対して、ＭＣＳ制限情報により、そのＭＣＳテーブル内でのＭＣＳインデックス選択範囲を設定する。これにより、１つのＭＣＳテーブルを用いて、ＭＣＳインデックスの選択範囲を可変することができる。よって、基地局装置及び端末装置は、様々な遅延で周期的および非周期的に発生する様々なデータ量のパケットに対応して、変調方式の選択や無線リソースのスケジューリングをすることができる。
【０１０９】
（第２の実施形態）
【０１１０】
本実施形態は、ＳＰＳにおけるＭＣＳ設定において、ＤＳにおいて適用されるＭＣＳテーブルを切り替えることで、設定可能なＭＣＳインデックスの範囲を変更する場合の例である。本実施形態に係る通信システム１（図１）は、基地局装置１０（図８）及び端末装置２０（図１０）で構成される。本実施形態に係る通信システム１（基地局装置１０及び端末装置２０）は、図２および図３のＣＱＩテーブル並びに図４及び図５のＭＣＳテーブルを共有する。図２のＣＱＩテーブルは、図４のＭＣＳテーブルと対応づけられる。図３のＣＱＩテーブルは、図５のＭＣＳテーブルと対応づけられる。以下、第１の実施形態との相違点／追加点を主に説明する。
【０１１１】
図１１は、本実施形態に係るＳＰＳにおけるＭＣＳインデックス設定例のフローを示す図である。基地局装置１０の上位層処理部１０２は、ＳＰＳで選択できるＭＣＳインデックスの範囲を定める（Ｓ２０１）。本実施形態に係る通信システム１（基地局装置１０および基地局装置１０）は、ＳＰＳで選択できるＭＣＳインデックスの範囲が、ＤＳで選択できるＭＣＳインデックスの範囲を基準に共有する。例えば、ＳＰＳで選択できるＭＣＳインデックスの範囲が、ＤＳで選択できるＭＣＳインデックスの１／２であることが、予め基地局装置１０および基地局装置１０で共有される。例えば、図４および図５のＭＣＳテーブルのテーブルが用いられる場合、ＳＰＳによって送信が行われるときは、基地局装置１０は、ＭＣＳインデックスを、領域Ｂから選択することができる。この場合、図４の
ＭＣＳテーブルでは、最大１６ＱＡＭまでの範囲でＭＣＳインデックスが選択できる。図５のＭＣＳテーブルでは、最大６４ＱＡＭまでの範囲でＭＣＳインデックスが選択できる。一方、ＤＳによって送信が行われるとき、基地局装置１０は、ＭＣＳインデックスを領域Ａから選択する。なお、ＳＰＳで選択できるＭＣＳインデックスの範囲の制限は、１／２に拘泥されるものではない。
【０１１２】
ＳＰＳで選択できるＭＣＳインデックスの範囲は、ＵＥ  Ｃａｐａｂｉｌｉｔｙに含まれるＵＥカテゴリと関連付けて設定されてよい。ＵＥカテゴリは、ＵＥがＤＬ−ＳＣＨトランスポートブロックで受信可能な最大ビット数を示すパラメータ／ＵＥがＵＬ−ＳＣＨトランスポートブロックで送信可能な最大ビット数を示すパラメータである。通信システム１（基地局装置１０及び端末装置２０）において、ＳＰＳで選択できるＭＣＳインデックスの範囲がＵＥカテゴリ毎に定められている。基地局装置１０は、端末装置２０から受信したＵＥカテゴリを用いて、ＳＰＳで選択できるＭＣＳインデックスの範囲を解釈することができる。
【０１１３】
次に、基地局装置１０の上位層処理部１０２は、ＳＰＳによるＰＤＳＣＨ送信／ＰＵＳＣＨ送信に用いるＭＣＳテーブルを選択する（Ｓ２０２）。上位層処理部１０２は、該ＰＤＳＤＨ送信／ＰＵＳＣＨ送信で必要なＭＣＳの範囲に応じて、ＭＣＳテーブルを選択する。例えば、該ＰＤＳＤＨ送信／ＰＵＳＣＨ送信のデータ量などによって、ＭＣＳテーブルを選択する。ＰＤＳＣＨ送信のためのＭＣＳテーブルは、「ＣＱＩテーブル選択」によって設定される。上位層処理部１０２は、ＳＰＳによるＰＤＳＤＨ送信／ＰＵＳＣＨ送信で最大１６ＱＡＭの変調方式まで用いる場合、「ＣＱＩテーブル選択」によって、６４ＱＡＭモードＣＱＩテーブルを設定する。上位層処理部１０２は、ＳＰＳによるＰＤＳＤＨ送信／ＰＵＳＣＨ送信で最大６４ＱＡＭの変調方式まで用いる場合、「ＣＱＩテーブル選択」によって、２５６ＱＡＭモードＣＱＩテーブル（図３）を設定する。上位層処理部１０２は、「ＣＱＩテーブル選択」を含むＣＱＩレポート設定情報を送信する。基地局装置１０は、該「ＣＱＩテーブル選択」によって、端末装置２０に、ＰＤＳＣＨ送信のために用いるＣＱＩテーブルおよびＭＣＳテーブルの指示を通知することができる。なお、基地局装置１０の上位層処理部１０２は、ＳＰＳによるＰＤＳＤＨ送信／ＰＵＳＣＨ送信において用いるＭＣＳテーブルを選択するＳＰＳ用ＭＣＳテーブル設定情報をＲＲＣメッセージ（例えば、ＳＰＳ設定情報）で送信することで、ＰＤＳＣＨ送信のために用いるＭＣＳテーブルを通知してもよい。上位層処理部１０２は、ＳＰＳ用ＭＣＳテーブル設定情報によって、６４ＱＡＭモードＭＣＳテーブルまたは２５６ＱＡＭモードＣＱＩテーブルのいずれを用いるかを設定する。
【０１１４】
基地局装置１０は、端末装置２０からＣＱＩインデックスを含むＣＳＩレポートを受信する。基地局装置１０の上位層処理部１０２は、該ＣＱＩインデックスを考慮して、ＭＣＳを設定する（Ｓ２０３）。上位層処理部１０２は、Ｓ２０２で図４のＭＣＳテーブルを選択している場合、そのテーブルの領域Ｂに含まれる１６ＱＡＭまでの変調方式から、ＭＣＳインデックスを選択する。一方、上位層処理部１０２は、Ｓ２０２で図５のＭＣＳテーブルを選択している場合、そのテーブルの領域Ｂに含まれる６４ＱＡＭまでの変調方式から、ＭＣＳインデックスを選択する。このように、上位層処理部１０２は、図３または図４のいずれのテーブルを選択した場合であっても、ＭＣＳインデックスを「00000」〜
「01111」の範囲から選択する（最上位ビットは「０」にセットされる）。
【０１１５】
制御部１０４は、Ｓ２０３で選択したＭＣＳインデックスを含むＰＤＳＣＨ／ＰＵＳＣＨ送信に必要なＤＣＩを生成する。制御部１０４は、該ＤＣＩにＳＰＳ  Ｃ−ＲＮＴＩでスクランブルされたＣＲＣを付加したＰＤＣＣＨを生成し、端末装置２０へ送信する（Ｓ２０４）。さらに、基地局装置１０は、前記ＰＤＣＣＨで示したＤＣＩに基づいてＰＤＳＣＨを送信し、またはＰＵＳＣＨを受信する（Ｓ２０５）。
【０１１６】
本実施形態に係る通信システム１は、ＤＣＩによって、ＳＰＳの活性化／非活性化の有効性を示すようにしてもよい。図１２は、ＳＰＳの活性化の有効性を示すＤＣＩのパラメータ（フィールド）を示す一例である。制御部１０４は、上りリンク送信を制御するためのＤＣＩにおいて、ＰＵＳＣＨのためのＴＰＣコマンド及びＤＭ  ＲＳのサイクリックシフト量のフィールドのビットを全て「０」にセットする。さらに、制御部２０４は、ＭＣＳ(Modulation and Coding Scheme)およびＲＶ(Redundancy Version)のフィールド（すなわちＭＣＳインデックス）を、Ｓ２０１に従ってセットする。Ｓ２０１において、ＳＰＳで選択できるＭＣＳインデックスの範囲が領域Ｂで定められている場合、制御部１０４は、ＭＣＳおよびＲＶのフィールドにおいて、最上位ビットが「０」にセットする。制御部１０４は、これらの条件を充たすことで、上りリンクのＳＰＳの活性化の有効性を示すことができる。
【０１１７】
制御部１０４は、下りリンク送信を制御するためのＤＣＩにおいて、ＨＡＲＱプロセス番号およびＲＶのフィールドのビットを全て「０」にセットする。さらに、制御部２０４は、ＭＣＳ（ＭＣＳインデックス）を、Ｓ２０１に従ってビットをセットする。Ｓ２０１において、ＳＰＳで選択できるＭＣＳインデックスの範囲が領域Ｂで定められている場合、制御部１０４は、ＭＣＳのフィールドにおいて、最上位ビットを「０」にセットする。制御部１０４は、これらの条件を充たすことで、下りリンクのＳＰＳの活性化の有効性を示すことができる。
【０１１８】
図１３は、ＳＰＳの非活性化の有効性を示すＤＣＩのパラメータ（フィールド）を示す一例である。制御部１０４は、上りリンク送信を制御するためのＤＣＩにおいて、ＰＵＳＣＨのためのＴＰＣコマンド及びＤＭ  ＲＳのサイクリックシフト量のフィールドのビットを全て「０」にセットする。制御部１０４は、ＭＣＳ(Modulation and Coding Scheme)およびＲＶ(Redundancy Version)のフィールド（すなわちＭＣＳインデックス）を、全て「１」にセットする。さらに、制御部１０４はリソースブロック割り当ておよびホッピングリソース割り当てフィールドを全て「１」にセットする。制御部１０４は、これらの条件を充たすことで、上りリンクのＳＰＳの非活性化の有効性を示すことができる。
【０１１９】
制御部１０４は、下りリンク送信を制御するためのＤＣＩにおいて、ＨＡＲＱプロセス番号およびＲＶのフィールドのビットを全て「０」にセットする。さらに、制御部２０４は、ＭＣＳ（ＭＣＳインデックス）を、全て「１」にセットする。さらに、制御部１０４はリソースブロック割り当ておよびホッピングリソース割り当てフィールドを全て「１」にセットする。制御部１０４は、これらの条件を充たすことで、下りリンクのＳＰＳの非活性化の有効性を示すことができる。なお、グラントベースのリピティション送信において、ＤＣＩに含まれるＲｅｐｅｔｉｔｏｎ  ｎｕｍｂｅｒのフィールドをＳＰＳの活性化／非活性化を示すための条件に用いてもよい。例えば、通信システム１は、Ｒｅｐｅｔｉｔｏｎ  ｎｕｍｂｅｒのフィールドが全て「０」にセットされることを、ＳＰＳの非活性化を示すための条件に用いる。
【０１２０】
端末装置２０の制御部２０４は、基地局装置１０から送信されたＭＣＳテーブルの選択に関する情報（「ＣＱＩテーブル選択」／「ＭＣＳテーブル選択」）に基づいて、ＳＰＳのためのＤＣＩに含まれるＭＣＳインデックスを解釈する。さらに、制御部２０４は、ＤＣＩに含まれるフィールドにおいて、図１２、図１３の条件に従って、ＳＰＳの活性化／非活性化を判断する。なお、図１２および図１３において、ＳＰＳの活性化／非活性化の有効性を示すために、ＰＵＳＣＨのためのＴＰＣコマンドフィールド、ＤＭＲＳのサイクリックスシフト量フィールド、並びにＭＣＳおよびＲＶフィールドを用いた場合を説明しているが、このうち一部のフィールドを用いてもよい。例えば、ＰＵＳＣＨのためのＴＰＣコマンドフィールド、並びにＭＣＳおよびＲＶフィールドを用いて、ＳＰＳの活性化／
非活性化の有効性を示すようにしてもよい。また、ＵＳＣＨのためのＴＰＣコマンドフィールド、Ｒｅｐｅｔｉｔｏｎ  ｎｕｍｂｅｒフィールド、並びにＭＣＳおよびＲＶフィールドを用いて、ＳＰＳの活性化／非活性化の有効性を示すようにしてもよい。
【０１２１】
以上のように、本実施形態に係る通信システムは、複数のＭＣＳテーブルに対して、ＳＰＳ送信で選択できるＭＣＳの範囲を一定に設定する。そして、ＰＤＳＣＨ／ＰＵＳＣＨで適用するＭＣＳテーブルを切替えることで、選択できる最大の変調方式を切替えることができる。これにより、ＤＣＩのおけるＭＣＳに関連するフィールド（ＭＣＳ／ＲＶ）をＳＰＳの活性化／非活性化を示すため用いることが可能となる。
【０１２２】
実施形態１及び実施形態２では、ＳＰＳによりＰＤＳＣＨ／ＰＵＳＣＨが送信される場合（ＰＤＣＣＨがＳＰＳ  Ｃ−ＲＮＴＩによってスクランブルされたＣＲＣを付加したＤＣＩによって生成されている場合）、ＭＣＳインデックスを選択できる範囲を制限する方法を説明したが、ＤＳによりＰＤＳＣＨ／ＰＵＳＣＨが送信される場合（ＰＤＣＣＨがＣ−ＲＮＴＩによってスクランブルされたＣＲＣを付加したＤＣＩによって生成されている場合）においても、同様のメカニズムでＭＣＳインデックスを選択できる範囲を制限することができる。また、実施形態１及び実施形態２で説明したＭＣＳインデックスを選択できる範囲を制限する方法は、同一のＰＵＳＣＨ（同一のトランスポートブロック）を繰り返し送信するグラントフリー送信の場合に、１つのＭＣＳテーブルのうち制限された範囲からＭＣＳインデックスを選択するときに用いることができる。さらに、実施形態１及び実施形態２で説明したＭＣＳインデックスを選択できる範囲を制限する方法は、同一のＰＵＳＣＨ（同一のトランスポートブロック）を繰り返し送信するグラントフリー送信の場合に、複数のＭＣＳテーブルを用いて、該ＭＣＳテーブルのうち制限された範囲からＭＣＳインデックスを選択するときに用いることができる。
【０１２３】
なお、実施形態１及び実施形態２における「ＣＱＩテーブル選択」、「ＭＣＳテーブル選択」「ＭＣＳ制限情報」の設定情報を、「ＭＣＳテーブルの選択に関する設定情報」と総称する。
【０１２４】
なお、本発明は、以下の態様を採ることも可能である。
【０１２５】
（１）本発明の一態様は、端末装置と通信を行う基地局装置であって、ＭＣＳテーブルの選択に関する設定情報を前記端末装置へ送信する送信部と、前記ＭＣＳテーブルの選択に関する設定情報によって選択されるＭＣＳテーブルを適用して、ＰＤＳＣＨのＭＣＳインデックスを設定する制御部と、を備え、前記ＭＣＳインデックスは、前記ＰＤＳＣＨの変調方式を示す情報であり、前記ＭＣＳインデックスは、前記ＭＣＳテーブルのうち、一部の変調方式に制限されたＭＣＳインデックスの範囲から選択され、前記制御部は、前記ＭＣＳテーブル内から選択された複数のＭＣＳインデックスを含むＭＣＳ選択可能範囲を複数設定し、前記一部のＭＣＳに制限されたＭＣＳインデックスの範囲は、前記制御部によって可変制御される前記ＭＣＳ選択可能範囲のうちの１つであり、前記ＭＣＳテーブルの選択に関する設定情報は、第１のＭＣＳテーブルまたは第２のＭＣＳテーブルのいずれを適用するかを示す情報を含み、前記第１のＭＣＳテーブルは、少なくとも第１の変調方式と該第１の変調方式と関連付けられたＭＣＳインデックスを含み、前記第１の変調方式は、ＱＰＳＫ、１６ＱＡＭおよび６４ＱＡＭを含み、前記第２のＭＣＳテーブルは、少なくとも第２の変調方式と該第２の変調方式と関連付けられたＭＣＳインデックスを含み、前記第２の変調方式は、ＱＰＳＫ、１６ＱＡＭ、６４ＱＡＭ、および２５６ＱＡＭを含む。
【０１２６】
（２）また、本発明の一態様は、前記ＭＣＳテーブルの選択に関する設定情報は、ＭＣＳ制限情報を含み、前記ＭＣＳ制限情報は、前記前記一部のＭＣＳに制限されたＭＣＳイ
ンデックスの範囲を示す情報である。
【０１２７】
（３）また、本発明の一態様は、前記送信部は、前記ＰＤＳＣＨのＭＣＳインデックスを含むＰＤＣＣＨを送信し、前記送信部がＳＰＳ  Ｃ−ＲＮＴＩでスクランブルされたＣＲＣが付加されたＰＤＣＣＨを送信する場合、前記一部のＭＣＳに制限されたＭＣＳインデックスの範囲は、前記ＭＣＳ選択可能範囲のうちの１つに固定され、前記ＭＣＳテーブルの選択に関する設定情報によって選択されるＭＣＳテーブルを制御することで、ＰＤＳＣＨのＭＣＳインデックスを選択できる範囲を変更する。
【０１２８】
（４）また、本発明の一態様は、記送信部は、前記ＰＤＳＣＨのＭＣＳインデックスを含むＰＤＣＣＨを送信し、前記制御部は、ＳＰＳ  Ｃ−ＲＮＴＩでスクランブルされたＣＲＣが前記ＰＤＣＣＨに付加されている場合、前記ＭＣＳテーブルの選択に関する設定情報によらず、前記制御部は、第１のＭＣＳテーブルを適用してＰＤＳＣＨのＭＣＳインデックスを設定し、前記ＭＣＳ選択可能範囲は、前記第１のＭＣＳテーブルから選択されたＭＣＳインデックスであり、Ｃ−ＲＮＴＩでスクランブルされたＣＲＣが前記ＰＤＣＣＨに付加されている場合、前記ＭＣＳテーブルの選択に関する設定情報によって選択されるＭＣＳテーブルを適用し、該ＭＣＳテーブルに含まれる全ＭＣＳインデックスのうちからＰＤＳＣＨのＭＣＳインデックスを設定する。
【０１２９】
（５）また、本発明の一態様は、前記一部のＭＣＳに制限されたＭＣＳインデックスの範囲は、（１／２）のｎ乗のＭＣＳインデックスの範囲であり、前記送信部は、前記ＰＤＳＣＨのＭＣＳインデックスを含むＰＤＣＣＨを送信し、前記制御部は、ＳＰＳ  Ｃ−ＲＮＴＩでスクランブルされたＣＲＣが前記ＰＤＣＣＨに付加されている場合、前記ＭＣＳテーブルの選択に関する設定情報によらず、前記制御部は、第１のＭＣＳテーブルを適用してＰＤＳＣＨのＭＣＳインデックスを設定し、Ｃ−ＲＮＴＩでスクランブルされたＣＲＣが前記ＰＤＣＣＨに付加されている場合、前記ｎを「１」に設定し、前記ＭＣＳテーブルの選択に関する設定情報によって選択されるＭＣＳテーブルを適用してＰＤＳＣＨのＭＣＳインデックスを設定する。
【０１３０】
（６）また、本発明の一態様は、前記送信部は、前記ＰＤＳＣＨのＭＣＳインデックスを含むＰＤＣＣＨを送信し、前記ＰＤＣＣＨにＳＰＳ  Ｃ−ＲＮＴＩでスクランブルされたＣＲＣが付加されている場合、前記ｎが０のとき、ＳＰＳによる前記ＰＤＳＣＨ送信のリリースが有効であることを示す。
【０１３１】
（７）また、本発明の一態様は、前記送信部は、前記ＰＤＳＣＨのＭＣＳインデックスを含むＰＤＣＣＨを送信し、前記送信部がＳＰＳ  Ｃ−ＲＮＴＩでスクランブルされたＣＲＣが付加されたＰＤＣＣＨを送信する場合、前記一部のＭＣＳに制限されたＭＣＳインデックスの範囲は、（１／２）のｎ乗のうちの１つに固定され、前記ＭＣＳテーブルの選択に関する設定情報によって選択されるＭＣＳテーブルを制御することで、ＰＤＳＣＨのＭＣＳインデックスを選択できる範囲を変更する。
【０１３２】
（８）また、本発明の一態様は、前記送信部がＳＰＳ  Ｃ−ＲＮＴＩでスクランブルされたＣＲＣが付加されたＰＤＣＣＨを送信する場合、前記ＰＤＣＣＨに含まれるＭＣＳインデックスを示すビットのうち、最上位ビットからｎビットに「０」がセットされているとき、ＳＰＳによるＰＤＳＣＨ送信の活性化が有効であることを示す。
【０１３３】
（９）また、本発明の一態様は、前記送信部がＳＰＳ  Ｃ−ＲＮＴＩでスクランブルされたＣＲＣが付加されたＰＤＣＣＨを送信する場合、前記ＰＤＣＣＨに含まれるＭＣＳインデックスを示すビットに全て「１」がセットされているとき、ＳＰＳによるＰＤＳＣＨ送信のリリースが有効であることを示す。
【０１３４】
（１０）本発明の一態様は、端末装置と通信を行う基地局装置の通信方法であって、ＭＣＳテーブルの選択に関する設定情報を前記端末装置へ送信する送信ステップと、ＭＣＳテーブルの選択に関する設定情報によって選択されるＭＣＳテーブルを適用して、ＰＤＳＣＨのＭＣＳインデックスを設定する制御ステップと、を有し、前記ＭＣＳインデックスは、前記ＰＤＳＣＨの変調方式を示す情報であり、前記ＭＣＳインデックスは、前記ＭＣＳテーブルのうち、一部の変調方式に制限されたＭＣＳインデックスの範囲から選択され、前記一部のＭＣＳに制限されたＭＣＳインデックスの範囲は、前記制御ステップにおいて可変制御される（１／２）のｎ乗のＭＣＳインデックスの範囲であり、前記ＭＣＳテーブルの選択に関する設定情報は、第１のＭＣＳテーブルまたは第２のＭＣＳテーブルのいずれを適用するかを示す情報を含み、前記第１のＭＣＳテーブルは、少なくとも第１の変調方式と該第１の変調方式と関連付けられたＭＣＳインデックスを含み、前記第１の変調方式は、ＱＰＳＫ、１６ＱＡＭ、および６４ＱＡＭを含み、前記第２のＭＣＳテーブルは、少なくとも第２の変調方式と該第２の変調方式と関連付けられたＭＣＳインデックスを含み、前記第２の変調方式は、ＱＰＳＫ、１６ＱＡＭ、６４ＱＡＭ、および２５６ＱＡＭを含む。
【０１３５】
（１１）また、本発明の一態様は、前記基地局装置は、前記ＰＤＳＣＨのＭＣＳインデックスを含むＰＤＣＣＨを送信し、前記ＰＤＣＣＨにＳＰＳ  Ｃ−ＲＮＴＩでスクランブルされたＣＲＣが付加されている場合、前記一部のＭＣＳに制限されたＭＣＳインデックスの範囲は、（１／２）のｎ乗のうちの１つに固定され、前記ＭＣＳテーブルの選択に関する設定情報によって選択されるＭＣＳテーブルを制御することで、ＰＤＳＣＨのＭＣＳインデックスを選択できる範囲を変更する。
【０１３６】
以上により、基地局装置及び端末装置は、様々な遅延で周期的に発生する様々なデータ量のパケットに対応して、変調方式の選択や無線リソースのスケジューリングをすることができる。
【０１３７】
本発明に関わる装置で動作するプログラムは、本発明に関わる上述した実施形態の機能を実現するように、Ｃｅｎｔｒａｌ  Ｐｒｏｃｅｓｓｉｎｇ  Ｕｎｉｔ（ＣＰＵ）等を制御してコンピュータを機能させるプログラムであっても良い。プログラムあるいはプログラムによって取り扱われる情報は、処理時に一時的にＲａｎｄｏｍ  Ａｃｃｅｓｓ  Ｍｅｍｏｒｙ（ＲＡＭ）などの揮発性メモリに読み込まれ、あるいはフラッシュメモリなどの不揮発性メモリやＨａｒｄ  Ｄｉｓｋ  Ｄｒｉｖｅ（ＨＤＤ）に格納され、必要に応じてＣＰＵによって読み出し、修正・書き込みが行なわれる。
【０１３８】
なお、上述した実施形態における装置の一部、をコンピュータで実現するようにしても良い。その場合、実施形態の機能を実現するためのプログラムをコンピュータが読み取り可能な記録媒体に記録しても良い。この記録媒体に記録されたプログラムをコンピュータシステムに読み込ませ、実行することによって実現しても良い。ここでいう「コンピュータシステム」とは、装置に内蔵されたコンピュータシステムであって、オペレーティングシステムや周辺機器等のハードウェアを含むものとする。また、「コンピュータが読み取り可能な記録媒体」とは、半導体記録媒体、光記録媒体、磁気記録媒体等のいずれであっても良い。
【０１３９】
さらに「コンピュータが読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであって
も良く、さらに前述した機能をコンピュータシステムにすでに記録されているプログラムとの組み合わせで実現できるものであっても良い。
【０１４０】
また、上述した実施形態に用いた装置の各機能ブロック、または諸特徴は、電気回路、すなわち典型的には集積回路あるいは複数の集積回路で実装または実行され得る。本明細書で述べられた機能を実行するように設計された電気回路は、汎用用途プロセッサ、デジタルシグナルプロセッサ（ＤＳＰ）、特定用途向け集積回路（ＡＳＩＣ）、フィールドプログラマブルゲートアレイ（ＦＰＧＡ）、またはその他のプログラマブル論理デバイス、ディスクリートゲートまたはトランジスタロジック、ディスクリートハードウェア部品、またはこれらを組み合わせたものを含んでよい。汎用用途プロセッサは、マイクロプロセッサであってもよいし、従来型のプロセッサ、コントローラ、マイクロコントローラ、またはステートマシンであっても良い。前述した電気回路は、ディジタル回路で構成されていてもよいし、アナログ回路で構成されていてもよい。また、半導体技術の進歩により現在の集積回路に代替する集積回路化の技術が出現した場合、当該技術による集積回路を用いることも可能である。
【０１４１】
なお、本願発明は上述の実施形態に限定されるものではない。実施形態では、装置の一例を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置に適用出来る。
【０１４２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０１４３】
本発明は、基地局装置、端末装置および通信方法に用いて好適である。
【符号の説明】
【０１４４】
１０  基地局装置
２０  端末装置
１０ａ  基地局装置１０が端末装置と接続可能な範囲
１０２  上位層処理部
１０４  制御部
１０６  送信部
１０８  送信アンテナ
１１０  受信アンテナ
１１２  受信部
１０６０  符号化部
１０６２  変調部
１０６４  下りリンク制御信号生成部
１０６６  下りリンク参照信号生成部
１０６８  多重部
１０７０  無線送信部
１１２０  無線受信部
１１２２  伝搬路推定部
１１２４  多重分離部
１１２６  等化部
１１２８  復調部
１１３０  復号部
２０２  上位層処理部
２０４  制御部
２０６  送信部
２０８  送信アンテナ
２１０  受信アンテナ
２１２  受信部
２０６０  符号化部
２０６２  変調部
２０６４  上りリンク参照信号生成部
２０６６  上りリンク制御信号生成部
２０６８  多重部
２０７０  無線送信部
２１２０  無線受信部
２１２２  多重分離部
２１２４  伝搬路推定部
２１２６  等化部
２１２８  復調部
２１３０  復号部
【図１】
2019004319.tif 000003
【図２】
2019004319.tif 000004
【図３】
2019004319.tif 000005
【図４】
2019004319.tif 000006
【図５】
2019004319.tif 000007
【図６】
2019004319.tif 000008
【図７】
2019004319.tif 000009
【図８】
2019004319.tif 000010
【図９】
2019004319.tif 000011
【図１０】
2019004319.tif 000012
【図１１】
2019004319.tif 000013
【図１２】
2019004319.tif 000014
【図１３】
2019004319.tif 000015